(57)【要約】【課題】ＩＣタグシールによる基板等の管理を行う場合に、ＩＣタグシールを生かした状態での不正行為を効果的に防止することが可能な遊技台を提供する。【解決手段】本発明に係る遊技台では、カバー部材２５０は、基板ケース２１０の開封または取り外しを阻止する第１の位置から基板ケース２１０の開封または取り外しを阻止しない第２の位置へ移動可能に構成されると共に、貼付部に貼付されたシール部材２１５の読取機能を不能化させて識別情報の読み取りを不可とする読取不可手段２５４を備え、読取不可手段２５４は、カバー部材２５０が第１の位置から第２の位置に移動される移動動作に伴ってシール部材２１５の読取機能を不能化させる。【選択図】図３
2010178890.tif 000002
【特許請求の範囲】
【請求項１】
遊技に関する制御を行う制御基板を収納する基板ケースと、
前記基板ケースの開封または取り外しを阻止するために設けられ、前記基板ケースの少なくとも一部を覆うカバー部材と、を備える遊技台であって、
前記基板ケースは、識別情報が記憶されると共に前記記憶された識別情報を所定の機器により非接触の状態で読み取ることができる読取機能が付加されたシール部材を貼付するための貼付部を有し、
前記カバー部材は、前記基板ケースの開封または取り外しを阻止する第１の位置から前記基板ケースの開封または取り外しを阻止しない第２の位置へ移動可能に構成されると共に、前記貼付部に貼付された前記シール部材の前記読取機能を不能化させて前記識別情報の読み取りを不可とする読取不可手段を備え、
前記読取不可手段は、前記カバー部材が前記第１の位置から前記第２の位置に移動される移動動作に伴って前記シール部材の前記読取機能を不能化させることを特徴とする、
遊技台。
【請求項２】
前記シール部材に記憶される前記識別情報は、予め定められた遊技台固有の識別情報であることを特徴とする、
請求項１に記載の遊技台。
【請求項３】
前記カバー部材は、前記第１の位置において前記シール部材側に向けて突出する突出部を有し、
前記読取不可手段は、前記カバー部材が前記第１の位置から前記第２の位置に移動される移動動作に伴い、前記突出部を前記シール部材に干渉させて前記読取機能を不能化させることを特徴とする、
請求項１または２に記載の遊技台。
【請求項４】
前記カバー部材は、前記第１の位置で封印がなされ、前記封印を解除することで前記第２の位置に移動可能になると共に、前記封印を解除した痕跡が残る構成とされていることを特徴とする、
請求項１乃至３のいずれかに記載の遊技台。
【請求項５】
前記第１の位置において前記シール部材側に向けて突出する突出部と、
前記突出部を前記シール部材に干渉しない非干渉位置から干渉する干渉位置に移動動作させる突出部移動機構と、をさらに備え、
前記読取不可手段は、前記カバー部材が前記第１の位置から前記第２の位置に移動される移動動作に連動させて前記突出部移動機構を動作させることにより、前記非干渉位置から前記干渉位置に前記突出部を移動動作させ、前記突出部を前記シール部材に干渉させて前記読取機能を不能化させることを特徴とする、
請求項１または２に記載の遊技台。
【請求項６】
前記基板ケースは、前記制御基板を収納する基板収納体と、前記基板収納体に蓋をして前記制御基板を封印する蓋体と、前記基板収納体および前記蓋体を封印すると共に封印を解除することで痕跡が残る構成とされたカシメ部と、を有し、
前記突出部起動機構は、前記基板ケースに収納され、前記カシメ部により封印されていることを特徴とする、
請求項５に記載の遊技台。
【請求項７】
前記カバー部材は、前記第１の位置において前記シール部材の少なくとも一部を覆うことを特徴とする、
請求項１乃至６のいずれかに記載の遊技台。
【請求項８】
前記基板ケースは、前記制御基板を収納する基板収納体と、前記基板収納体に蓋をして前記制御基板を封印する蓋体と、前記基板収納体および前記蓋体を封印すると共に封印を解除することで痕跡が残る構成とされたカシメ部と、を有し、
前記カバー部材は、前記第１の位置において少なくとも前記カシメ部を覆うことを特徴とする、
請求項１乃至７のいずれかに記載の遊技台。
【請求項９】
前記基板ケースは、前記制御基板に実装されたコネクタ部を基板ケース外に突出させるためのコネクタ部逃げ孔を有し、
前記カバー部材は、前記第１の位置において少なくとも前記コネクタ部逃げ孔を覆うことを特徴とする、
請求項１乃至８のいずれかに記載の遊技台。
【請求項１０】
前記シール部材は、前記所定の機器から発信される電波を少なくとも受信するためのアンテナ部材を含み、
前記読取不可手段は、前記カバー部材が前記第１の位置から前記第２の位置となる間に、突出部が前記シール部材に干渉して前記アンテナ部材を破断することにより前記読取機能を不能化させることを特徴とする、
請求項１乃至９のいずれかに記載の遊技台。
【発明の詳細な説明】
【技術分野】
【０００１】
本発明は、回胴遊技機（スロットマシン）や弾球遊技機（パチンコ機）に代表される遊技台に関する。
【背景技術】
【０００２】
従来、遊技台の一つとして、例えばスロットマシンが知られている。このスロットマシンは、一般に、複数種類の図柄が施された複数のリールと、メダルの投入を前提条件として、リールの回転開始を指示するスタートスイッチと、各リールに対応して設けられ、各リールを個別に停止させるためのストップスイッチと、予め定めた入賞役の内部当選の当否を抽選により判定する抽選手段とを備え、入賞役に内部当選した場合であって、停止時のリールによって表示される図柄の組合せが、内部当選した入賞役に対応して予め定められた図柄の組合せである場合に、その入賞役に入賞し、払い出しが必要な場合には所定数のメダルを払い出すように構成されている。
【０００３】
このような遊技台は、ＣＰＵやＲＯＭ、ＲＡＭ等からなる遊技制御基板を備え、この遊技制御基板によって入賞役の内部抽選やメダルの払い出し等を制御している。このため、制御プログラムや抽選データ等が記憶されたＲＯＭを交換する等、様々な不正行為が遊技制御基板に対して行われる場合があった。
【０００４】
このような不正行為の防止を強化する観点から、遊技制御基板を内部に収納する基板ケース（基板収納ケース）を封印すると共に、基板ケースを開封（開放）したときに、その開封を行った痕跡が残るように構成された基板ケースの不正開放防止機構が提案されている（例えば、特許文献１参照）。
【先行技術文献】
【特許文献】
【０００５】
【特許文献１】２００４−２８３４４５号公報
【発明の概要】
【発明が解決しようとする課題】
【０００６】
近年では、不正行為の手口がより巧妙になり、基板収納ケースの不正開放防止機構だけでは、遊技制御基板に対する不正行為の撲滅までには届かず、より効果的な、さらなる不正防止対策が求められてきている。このため、さらなる不正防止対策として従来技術の基板収納ケースに遊技台固有の識別情報を記憶したＩＣタグシールを貼付し、ＩＣタグシールの識別情報を専用のＩＤ読取器にて読取り、遊技制御基板（基板収納ケース含む）が正規の基板か、または不正に交換された基板かを識別して、遊技台に取り付けられた遊技制御基板の管理を行う試みがなされている。
【０００７】
しかしながら、このＩＣタグシールを利用した不正防止対策については、基板収納ケースに貼付されたＩＣタグシールを生かした状態での不正行為が懸念されるという問題があった。このＩＣタグシールを生かした状態での不正行為としては、例えば、遊技台から基板収納ケースを取り外し、ＩＣタグシールが貼り付けられたままで基板収納ケース内（基板全体、またはＲＯＭのみ）だけを巧妙に交換する不正行為や、不正に偽造した複製基板収納ケース（偽造基板を収納）にＩＣタグシールを移植する不正行為等が考えられている。
【０００８】
本発明は、このような問題点を解決するためになされたものであって、ＩＣタグシールによる基板等の管理を行う場合に、ＩＣタグシールを生かした状態での不正行為を効果的に防止することが可能な遊技台を提供しようとするものである。
【課題を解決するための手段】
【０００９】
（１）本発明は、遊技に関する制御を行う制御基板を収納する基板ケースと、前記基板ケースの開封または取り外しを阻止するために設けられ、前記基板ケースの少なくとも一部を覆うカバー部材と、を備える遊技台であって、前記基板ケースは、識別情報が記憶されると共に前記記憶された識別情報を所定の機器により非接触の状態で読み取ることができる読取機能が付加されたシール部材を貼付するための貼付部を有し、前記カバー部材は、前記基板ケースの開封または取り外しを阻止する第１の位置から前記基板ケースの開封または取り外しを阻止しない第２の位置へ移動可能に構成されると共に、前記貼付部に貼付された前記シール部材の前記読取機能を不能化させて前記識別情報の読み取りを不可とする読取不可手段を備え、前記読取不可手段は、前記カバー部材が前記第１の位置から前記第２の位置に移動される移動動作に伴って前記シール部材の前記読取機能を不能化させることを特徴とする、遊技台である。
【００１０】
（２）本発明はまた、前記シール部材に記憶される前記識別情報は、予め定められた遊技台固有の識別情報であることを特徴とする、上記（１）に記載の遊技台である。
【００１１】
（３）本発明はまた、前記カバー部材は、前記第１の位置において前記シール部材側に向けて突出する突出部を有し、前記読取不可手段は、前記カバー部材が前記第１の位置から前記第２の位置に移動される移動動作に伴い、前記突出部を前記シール部材に干渉させて前記読取機能を不能化させることを特徴とする、上記（１）または（２）に記載の遊技台である。
【００１２】
（４）本発明はまた、前記カバー部材は、前記第１の位置で封印がなされ、前記封印を解除することで前記第２の位置に移動可能になると共に、前記封印を解除した痕跡が残る構成とされていることを特徴とする、上記（１）乃至（３）のいずれかに記載の遊技台である。
【００１３】
（５）本発明はまた、前記第１の位置において前記シール部材側に向けて突出する突出部と、前記突出部を前記シール部材に干渉しない非干渉位置から干渉する干渉位置に移動動作させる突出部移動機構と、をさらに備え、前記読取不可手段は、前記カバー部材が前記第１の位置から前記第２の位置に移動される移動動作に連動させて前記突出部移動機構を動作させることにより、前記非干渉位置から前記干渉位置に前記突出部を移動動作させ、前記突出部を前記シール部材に干渉させて前記読取機能を不能化させることを特徴とする、上記（１）または（２）に記載の遊技台である。
【００１４】
（６）本発明はまた、前記基板ケースは、前記制御基板を収納する基板収納体と、前記基板収納体に蓋をして前記制御基板を封印する蓋体と、前記基板収納体および前記蓋体を封印すると共に封印を解除することで痕跡が残る構成とされたカシメ部と、を有し、前記突出部起動機構は、前記基板ケースに収納され、前記カシメ部により封印されていることを特徴とする、上記（５）に記載の遊技台である。
【００１５】
（７）本発明はまた、前記カバー部材は、前記第１の位置において前記シール部材の少なくとも一部を覆うことを特徴とする、上記（１）乃至（６）のいずれかに記載の遊技台である。
【００１６】
（８）本発明はまた、前記基板ケースは、前記制御基板を収納する基板収納体と、前記基板収納体に蓋をして前記制御基板を封印する蓋体と、前記基板収納体および前記蓋体を封印すると共に封印を解除することで痕跡が残る構成とされたカシメ部と、を有し、前記カバー部材は、前記第１の位置において少なくとも前記カシメ部を覆うことを特徴とする、上記（１）乃至（７）のいずれかに記載の遊技台である。
【００１７】
（９）本発明はまた、前記基板ケースは、前記制御基板に実装されたコネクタ部を基板ケース外に突出させるためのコネクタ部逃げ孔を有し、前記カバー部材は、前記第１の位置において少なくとも前記コネクタ部逃げ孔を覆うことを特徴とする、上記（１）乃至（８）のいずれかに記載の遊技台である。
【００１８】
（１０）本発明はまた、前記シール部材は、前記所定の機器から発信される電波を少なくとも受信するためのアンテナ部材を含み、前記読取不可手段は、前記カバー部材が前記第１の位置から前記第２の位置となる間に、突出部が前記シール部材に干渉して前記アンテナ部材を破断することにより前記読取機能を不能化させることを特徴とする、上記（１）乃至（９）のいずれかに記載の遊技台である。
【発明の効果】
【００１９】
本発明に係る遊技台によれば、ＩＣタグシールによる基板等の管理を行う場合に、ＩＣタグシールを生かした状態での不正行為を効果的に防止することが可能という優れた効果を奏し得る。
【図面の簡単な説明】
【００２０】
【図１】本発明の実施例１に係るスロットマシンの外観斜視図である。
【図２】スロットマシンの内部構成の概略を示す前面扉を開いた斜視図である。
【図３】主基板収納ケース周囲の構成を示した分解斜視図である。
【図４】（ａ）ＩＣタグ封印シールの一例を示した外観図である。（ｂ）ＩＣタグ封印シールの内部構造の一例を透過して示した図である。
【図５】取付ベースへの主基板収納ケースの取り付け、およびカバー部材の封印を示した図である。
【図６】（ａ）カバー部材が閉塞状態で封印された状態を示した図である。（ｂ）カバー部材の封印の解除方法を示した図である。
【図７】（ａ）および（ｂ）図６（ａ）および（ｂ）のＡ部拡大図である。
【図８】主制御部の回路ブロック図を示したものである。
【図９】副制御部の回路ブロック図を示したものである。
【図１０】主制御部のメイン処理の流れを示すフローチャートである。
【図１１】（ａ）副制御部の割込み処理の流れを示すフローチャートである。（ｂ）副制御部のメイン処理の流れを示すフローチャートである。
【図１２】実施例２の主基板収納ケースおよびカバー部材を示した分解斜視図である。
【図１３】（ａ）カバー部材が第１の位置にある状態を示した図である。（ｂ）カバー部材が第２の位置にある状態を示した図である。
【図１４】（ａ）および（ｂ）図１３（ａ）および（ｂ）のＢ部拡大図である。
【図１５】実施例３の主基板収納ケース、取付ベースおよびカバー部材を示した分解斜視図である。
【図１６】カバー部材の取り付け方法を示した図である。
【図１７】図１６のＣ部およびＤ部拡大図である。
【図１８】（ａ）カバー部材が第１の位置にある状態を示した図である。（ｂ）カバー部材が第２の位置にある状態を示した図である。
【図１９】（ａ）および（ｂ）図１８（ｂ）のＥ部拡大図である。
【図２０】実施例４の主基板収納ケース、取付ベースおよびカバー部材を示した分解斜視図である。
【図２１】カバー部材の取り付け方法を示した図である。
【図２２】（ａ）カバー部材が第１の位置にある状態を示した図である。（ｂ）カバー部材が第２の位置にある状態を示した図である。
【図２３】（ａ）および（ｂ）図２２（ａ）および（ｂ）のＦ部拡大図である。
【図２４】実施例５の主基板収納ケース、取付ベースおよびカバー部材を示した分解斜視図である。
【図２５】破断部材の分解斜視図である。
【図２６】（ａ）および（ｂ）カバー部材の取り付け方法を示した図である。
【図２７】（ａ）カバー部材の第１の位置までの移動を示した図である。（ｂ）図２７（ａ）のＧ部拡大図である。
【図２８】（ａ）カバー部材が第１の位置にある状態を示した図である。（ｂ）コネクタの遮蔽の解除の方法を示した図である。
【図２９】（ａ）および（ｂ）コネクタの遮蔽の解除方法を拡大して示した図である。
【図３０】パチンコ機の正面図である。
【発明を実施するための形態】
【００２１】
以下、図面を用いて、本発明の実施例に係るスロットマシン（遊技台）について詳細に説明する。
【実施例１】
【００２２】
＜全体構成＞
まず、図１を用いて、本実施例に係るスロットマシン１００の全体構成について説明する。なお、同図はスロットマシン１００の外観斜視図を示したものである。
【００２３】
スロットマシン１００は、略箱状の本体１０１と、この本体１０１の前面開口部に取り付けられた前面扉１０２とを有して構成されている。スロットマシン１００の本体１０１の中央内部には、外周面に複数種類の図柄が所定コマ数だけ配置されたリールが３個（左リール１１０、中リール１１１、右リール１１２）収納され、スロットマシン１００の内部で回転できるように構成されている。各図柄は帯状部材に等間隔で適当数印刷され、この帯状部材が所定の円形枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。なお、本実施例では、３個のリールをスロットマシン１００の中央内部に備えているが、リールの数やリールの設置位置はこれに限定されるものではない。
【００２４】
また、図柄表示窓１１３の外枠には、点滅や点灯などの点灯制御によって、後述する有効ラインや入賞ラインを報知するためのライン表示ＬＥＤ（図示省略）が配置されている。
【００２５】
さらに、スロットマシン１００内部において各々のリール１１０〜１１２の近傍には、投光部と受光部からなる光学式センサ（図示省略）が設けられており、この光学式センサの投光部と受光部の間を、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０〜１１２を停止させる。
【００２６】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００２７】
スタートランプ１２１は、リール１１０〜１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、メダル投入時のエラー表示や、ビッグボーナスゲーム中（ＢＢゲーム中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００２８】
メダル投入ボタン１３０、１３１は、スロットマシン１００に電子的に貯留されているメダルを所定の枚数分投入するためのボタンである。本実施例においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０または１３１により電子的に投入することもできるし、メダル投入口１３４から実際のメダルを投入することもできる。精算ボタン１３２は、スロットマシン１００に電子的に貯留されたメダルおよびベットされたメダルを精算し、メダル払出口１５５よりメダル受皿１５６に排出するためのボタンである。メダル返却ボタン１３３は、投入されたメダルが詰まった場合に押下してメダルを取り除くためのボタンである。
【００２９】
スタートレバー１３５は、遊技の開始操作を行うためのレバー型のスイッチである。即ち、メダル投入口１３４に所望する枚数のメダルを投入して、スタートレバー１３５を操作すると、これを契機としてリール１１０〜１１２が回転し、遊技が開始される。ストップボタン１３７〜１３９は、スタートレバー１３５の操作によって回転を開始したリール１１０〜１１２に対する停止操作を行うためのボタンであり、各リール１１０〜１１２に対応して設けられている。そして、いずれかのストップボタン１３７〜１３９を操作すると対応するいずれかのリール１１０〜１１２が停止することになる。
【００３０】
ドアキー孔１４０は、スロットマシン１００の前面扉１０２のロックを解除するためのキーを挿入する孔である。メダル払出口１５５は、メダルを払出すための払出口である。メダル受皿１５６は、メダル払出口１５５から払出されたメダルを溜めるための器である。なお、メダル受皿１５６は、本実施例では発光可能な受皿を採用している。
【００３１】
上部ランプ１５０、サイドランプ１５１、中央ランプ１５２、腰部ランプ１５３、下部ランプ１５４は、遊技を盛り上げるための装飾用のランプである。演出装置１９０は、例えば開閉自在な扉（シャッター）１６３が前面に取り付けられた液晶表示装置を含み、この演出装置１９０には、例えば小役告知等の各種の情報が表示される。音孔１６０は、スロットマシン１００内部に設けられているスピーカの音を外部に出力するための孔である。タイトルパネル１６２には、スロットマシン１００を装飾するための図柄が描かれる。
【００３２】
＜内部構成＞
次に、スロットマシン１００の内部構成について簡単に説明する。図２は、スロットマシン１００の内部構成の概略を示す前面扉１０２を開いた斜視図である。本体部としてのキャビネット１０１の内部には、主基板収納ケース２１０、副制御基板収納ケース２２０およびリールユニット１８５や、図示を省略した電源ボックス、メダル払出装置１８０、メダル補助収納部２４０、中央スピーカユニット、外部中継端子板等の諸装置が配設されている。
【００３３】
リールユニット１８５は、樹脂製のケース２２１内にステッピングモータで駆動されるリール１１０〜１１２を個別に着脱可能に取り付けて構成している。そして、このリールユニット１８５は、ケース２２１により３本のリールをユニット化し、キャビネット１０１に設けたリールユニット載置台１９８に対する着脱を容易に行えるように構成している。また、リールユニット載置台１９８の下部には、音通路１９７が取り付けられ、前面扉１０２がキャビネット１０１に閉じられた状態で前面扉１０２に取り付けられた音通路１９２と組み合わさるように構成している。中央スピーカユニットから出力された音は、この音通路１９７および音通路１９２を通過して外部に出力される。
【００３４】
キャビネット１０１の内部には、透明な樹脂ケースからなる主基板収納ケース２１０が、キャビネット１０１を構成している後板の上部に、取付ベース２３０を介して取り付けられている。この主基板収納ケース２１０の内部空間には、スロットマシン１００の全体的な制御を行う主制御部３００を構成する電子部品を実装した主制御基板が収納されている。
【００３５】
また、図示を省略した電源ボックスは、キャビネット１０１の後板の壁面に装着され、金属製ケースの内部に、スロットマシン１００の諸装置へ必要な電力を供給するための電源基板が収納されている。
【００３６】
さらに、キャビネット１０１の内部には、メダルを払い出すためのメダル払出装置１８０（以下、ホッパー１８０ということがある）が配設してある。メダル払出装置１８０は、ＤＣモータで駆動されメダルを１枚ずつ払い出すと共に、メダルを払い出す毎に検出信号を出力する払出装置本体１８１と、払出装置本体１８１にメダルを供給すると共にメダルを蓄積するメダルタンク１８２とで構成されている。そして、メダル払出装置１８０の横には、メダル補助収納部２４０が置かれており、前記メダル払出装置１８０がメダルでいっぱいになると、余分なメダルは流れ落ち、このメダル補助収納部２４０内に蓄積される。
【００３７】
そして、前記主制御基板およびリール１１０〜１１２の側方、即ち向って左側の側板には、演出の制御を行う副制御部４００を構成する副制御基板を収納した副基板収納ケース２２０が配設してある。
【００３８】
一方、キャビネット１０１の側板にヒンジ装置１９６を介して蝶着された前面扉１０２には、演出装置１９０、この演出装置を制御する演出制御基板を収納した演出制御基板収納ケース１９５、上部スピーカ１９４、図柄表示窓１１３を有するリールパネル１９３、投入されたメダルを選別するためのメダルセレクタ１７０、このメダルセレクタ１７０が不正なメダル等をメダル受皿１５６に落下させる際にメダルが通過する通路１９１等が設けてある。メダルセレクタ１７０は、さらに、投入されたメダルをメダルタンク１８２に案内する通路１７１を備えている。
【００３９】
＜主基板収納ケース周囲の構成＞
次に、図３〜７を用いて、主基板収納ケース２１０周囲の構成について説明する。図３は、主基板収納ケース２１０周囲の構成を示した分解斜視図である。
【００４０】
＜主基板収納ケース＞
まず、主基板収納ケース２１０について説明する。主基板収納ケース２１０は、底面が略矩形の角皿状である基板収納体２１２および蓋体２１３を組み合わせて構成される箱体となっている。この主基板収納ケース２１０の内部の空間には、遊技に関するプログラムや各種データ等を記憶したＲＯＭ３１２や、ＣＰＵ、ＲＡＭ等のその他の電子部品２１１ａが実装され、後述する主制御部３００を構成する主制御基板２１１が、ネジ２１１ｂによって四隅を基板収納体２１２に固定された状態で収納される。基板収納体２１２および蓋体２１３は、それぞれ透光性の樹脂から構成されており、主基板収納ケース２１０内部に収納された主制御基板２１１を外部から視認することが可能となっている。
【００４１】
基板収納体２１２の下側縁には門型のヒンジ部２１２ａが２箇所に設けられている。そして、蓋体２１３の下側縁にはヒンジ部２１２ａと係合するフック状のフック部２１３ａが２箇所に設けられ、上側縁の左右両端部には基板収納体２１２の上側縁と係止する凸部を備える係止舌片２１３ｂがそれぞれ設けられている。従って、主基板収納ケース２１０を組み立てる場合には、まず、蓋体２１３のフック部２１３ａを基板収納体２１２のヒンジ部２１２ａに係合させ、次に、ヒンジ部２１２ａを中心に蓋体２１３を揺動させて基板収納体２１２と蓋体２１３を合わせると共に蓋体２１３の係止舌片２１３ｂを基板収納体２１２の上側縁に係止させる。
【００４２】
また、基板収納体２１２および蓋体２１３の上部には、ケース用かしめピン２１４ａを挿入して両者を分離できないように封印（かしめ）するためのケース用かしめ部２１２ｃ、２１３ｃが、それぞれ４箇所に設けられている。これらのケース用かしめ部２１２ｃ、２１３ｃは、基板収納体２１２および蓋体２１３を組み合わせた場合に、基板収納体２１２のケース用かしめ部２１２ｃが蓋体２１３のケース用かしめ部２１３ｃ内に収容され、ケース用かしめピン２１４ａが挿入される挿入孔がそれぞれ連通するように構成されている。そして、この連通した挿入孔に挿入されたケース用かしめピン２１４ａが、ケース用かしめ部２１２ｃ、２１３ｃのそれぞれに取り外し不可能に係止するようになっている。すなわち、ケース用かしめピン２１４ａを挿入することにより、ケース用かしめ部２１２ｃ、２１３ｃが互いに分離不可能に結合され、主基板収納ケース２１０が封印される。
【００４３】
なお、一旦封印した主基板収納ケース２１０を開封する場合には、蓋体２１３のケース用かしめ部２１３ｃを蓋体２１３から切断する。これにより、基板収納体２１２および蓋体２１３を分離した後も、蓋体２１３のケース用かしめ部２１３ｃが基板収納体２１２のケース用かしめ部２１２ｃと結合したまま基板収納体２１２に残ることととなり、主基板収納ケース２１０を開封した痕跡が残るようになっている。本実施例では、ケース用かしめ部２１２ｃ、２１３ｃが４箇所に設けられているため、主基板収納ケース２１０の封印を４回行うことができるようになっている。
【００４４】
また、基板収納体２１２および蓋体２１３の上部の左右両端には、固定用かしめピン２１４ｂを挿入することによって主基板収納ケース２１０の取付ベース２３０への固定を封印するための固定用かしめ部２１２ｄ、２１３ｄが２箇所に設けられている。これらの固定用かしめ部２１２ｄ、２１３ｄは、基板収納体２１２および蓋体２１３を組み合わせた場合に、基板収納体２１２の固定用かしめ部２１２ｄ内に蓋体２１３の固定用かしめ部２１３ｄの一部が収容され、固定用かしめピン２１４ｂが挿入される挿入孔がそれぞれ連通するように構成されている。そして、蓋体２１３側から固定用かしめピン２１４ｂをこの連通した挿入孔に挿入すると共に、基板収納体２１２の背後に突出した固定用かしめピン２１４ｂの先端部を取付ベース２３０に設けられた嵌入孔２３１内に嵌入することにより、主基板収納ケース２１０の取付ベース２３０への固定が封印されるようになっている。
【００４５】
固定用かしめピン２１４ｂは、先端部が基板収納体２１２の背後に突出して嵌入孔２３１に嵌入した状態では、蓋体２１３の固定用かしめ部２１３ｄと係止して取り外せないようになっている。本実施例では、固定用かしめ部２１２ｄ、２１３ｄが２箇所に設けられているため、主基板収納ケース２１０の固定の封印を２回行うことが可能となっている。主基板収納ケース２１０の取付ベース２３０への固定の詳細については後述する。
【００４６】
また、本実施例では、ケース用かしめ部２１２ｃ、２１３ｃの配置に応じて、２つのケース用かしめピン２１４ａを略コの字形状の連結部材２１４ｃで連結している。このように、複数のケース用かしめピン２１４ａを連結し、一体化することによって、ケース用かしめピン２１４ａの紛失を防止すると共に、封印忘れを防止することができる。
【００４７】
主基板収納ケース２１０の上部中央は、ＩＣタグ封印シール２１５を貼付ける部分となっている。基板収納体２１２の上部中央には、蓋体２１３に向けて突出する矩形状の凸部２１２ｅが設けられており、基板収納体２１２と蓋体２１３を組み合わせた場合に、蓋体２１３の上部中央に設けられた凹部２１３ｅ内に収容されるようになっている。そして、ＩＣタグ封印シール２１５は、基板収納体２１２の凸部２１２ｅの表面とその下方の蓋体２１３の表面に跨って貼付けられる（図５参照）。従って、本実施例では、主基板収納ケース２１０を開封するにはＩＣタグ封印シール２１５を剥がす、または破断する必要があり、これによっても主基板収納ケース２１０を開封した痕跡が残るようになっている。すなわち、主基板収納ケース２１０は、ＩＣタグ封印シール２１５によっても封印されている。
【００４８】
また、本実施例では、基板収納体２１２の凸部２１２ｅ表面の右端から中央部にかけて左右方向に連続する逃げ溝２１２ｆが形成されており、ＩＣタグ封印シール２１５は、この逃げ溝２１２ｆの右端部以外の部分を塞ぐようにして貼付けられる。
【００４９】
図４（ａ）はＩＣタグ封印シール２１５の一例を示した外観図であり、同図（ｂ）はＩＣタグ封印シール２１５の内部構造の一例を透過して示した図である。この例では、同図（ａ）に示されるように、ＩＣタグ封印シール２１５の表面の中央部には、矩形状の識別番号表示領域２１５ａが設けられており、この識別番号表示領域２１５ａには、「＊＊Ａ＊＊／＊＊＊＊」等の複数の数字および記号からなる主制御基板２１１の識別番号、ならびにこの識別番号のバーコードが記載されている。また、識別番号表示領域２１５ａの上方には「複製禁止」という警告表示が記載され、下方には「＊＊＊＊遊技機協同組合」等のＩＣタグ封印シール２１５の出所表示が記載されている。
【００５０】
このＩＣタグ封印シール２１５の内部には、同図（ｂ）に示されるように、ＩＣチップ２１５ｂ、およびコイル状のアンテナ２１５ｃからなるＩＣタグが配設されている。これらのＩＣチップ２１５ｂおよびアンテナ２１５ｃは、例えば積層された樹脂フィルムや紙等の間に挟持された状態で配置されている。ＩＣチップ２１５ｂは、各種情報を記憶するメモリを備えると共に、アンテナ２１５ｃを介して外部のＩＣタグリーダ／ライタから受信したコマンドに基づいて、メモリに記憶した情報の送信や、受信した情報のメモリへの書き込み等を制御する制御部等を備えている。また、ＩＣチップ２１５ｂは、外部のＩＣタグリーダ／ライタから送信される無線信号（電磁波）から動作用の電力を得るように構成されている。
【００５１】
ＩＣチップ２１５ｂのメモリには、ＩＣチップ２１５ｂの製造時に書き込まれるＩＣチップ２１５ｂ固有のＩＤ（ＵＩＤ）、およびＩＣタグ封印シール２１５の製造時またはスロットマシン１００の出荷検査時に書き込まれる主制御基板２１１の識別番号等の遊技台固有の情報が記憶されている。従って、遊技店では、前面扉１０２を開いてＩＣタグリーダ／ライタをＩＣタグ封印シール２１５の近傍にかざすだけで、これらの情報を容易に読み取ることができる。そして、この読み取った情報に基づいて、ＩＣタグ封印シール２１５が正規のものか否か、またはＩＣタグ封印シール２１５に破壊等の異常が生じているか否かを判断することができ、これにより主制御基板２１１に対して不正行為が行われたか否かを容易に確認することが可能となっている。
【００５２】
図３に戻って、主制御基板２１１には、外部の各種基板等に繋がるケーブルを接続するための複数のコネクタ２１１ｃが実装されており、蓋体２１３には、これらのコネクタ２１１ｃに対応する位置に複数のコネクタ孔２１３ｆが設けられている。主制御基板２１１が主基板収納ケース２１０内に収納された状態では、各コネクタ２１１ｃは、対応するコネクタ孔２１３ｆから一部が露出するようになっている。従って、主基板収納ケース２１０を開封しなくとも、外部の各種基板等に繋がるケーブルを各コネクタ２１１ｃに接続することが可能となっている。また、逆に、各コネクタ２１１ｃに接続されたケーブルを外さない限り、基板収納体２１２と蓋体２１３を分離して主基板収納ケース２１０を開封することができないため、これらのコネクタ２１１ｃは、ケース用かしめ部２１２ｃ、２１３ｃおよびケース用かしめピン２１４ａ、固定用かしめ部２１２ｄ、２１３ｄおよび固定用かしめピン２１４ｂ、ならびにＩＣタグ封印シール２１５と共に、主基板収納ケース２１０の開封または取り外しを阻止する開封阻止部として機能している。なお、本実施例では、コネクタ２１１ｃが主制御基板２１１の左右両端部に実装されているため、コネクタ孔２１３ｆは蓋体２１３の左右両端部にのみ設けられている。
【００５３】
＜取付ベース＞
次に、取付ベース２３０について説明する。取付ベース２３０は、透光性のある樹脂から構成された略矩形状の部材であり、中央に主基板収納ケース２１０を固定して収容するための矩形状の窪みである収容凹部２３０ａが形成されている。収容凹部２３０ａ底面の下側の左右角部の近傍には、取付ベース２３０をキャビネット１０１に固定するためのネジを挿通する挿通孔２３２が形成されている。これらの挿通孔２３２は、収容凹部２３０ａ内に主基板収納ケース２１０が固定された状態では、主基板収納ケース２１０によって遮蔽されることとなる。従って、主基板収納ケース２１０を取付ベース２３０から取り外さない限り、取付ベース２３０をキャビネット１０１から取り外すことができないようになっている。
【００５４】
収容凹部２３０ａは、主基板収納ケース２１０よりやや大きいサイズに形成されている。そして、収容凹部２３０ａの下部側面には、主基板収納ケース２１０のヒンジ部２１２ａ（およびヒンジ部２１２ａに係合しているフック部２１３ａ）と係合する２つの係合凹部２３０ｂが形成されている。従って、主基板収納ケース２１０は、収容凹部２３０ａ内に収容される際に、ヒンジ部２１２ａを係合凹部２３０ｂに係合させることによって取付ベース２３０に固定される。なお、収容凹部２３０ａの上部側面には、ケース用かしめピン２１４ａと干渉しないようにするための２つの切欠き部２３０ｃが形成されている。
【００５５】
ヒンジ部２１２ａを係合凹部２３０ｂに係合させた後、固定用かしめ部２１２ｄ、２１３ｄを通して固定用かしめピン２１４ｂを収容凹部２３０ａの底面に設けられた嵌入孔２３１に嵌入することによって、主基板収納ケース２１０の取付ベース２３０への固定が封印される。これにより、固定用かしめピン２１４ｂまたは固定用かしめ部２１２ｄ、２１３ｄを破壊する等の痕跡を残さない限り、主基板収納ケース２１０を取り外すことが不可能となる。嵌入孔２３１は、係合凸部２１２ｆを係合凹部２３０ｂに係合させた状態での固定用かしめ部２１２ｄ、２１３ｄに対応する位置、すなわち収容凹部２３０ａ底面の上側の左右角部の近傍にそれぞれ設けられている。
【００５６】
なお、収容凹部２３０ａは、主基板収納ケース２１０の基板収納体２１２と蓋体２１３の合せ面が収容凹部２３０ａ内に位置する深さに形成されている。本実施例では、収容凹部２３０ａの深さをこのように設定することで、基板収納体２１２と蓋体２１３の合せ面への外部からのアクセスを遮断し、この合せ面を介した不正行為を防止するようにしている。
【００５７】
取付ベース２３０表面の左端部には、主制御基板２１１のコネクタ２１１ｃに接続されたケーブルを部分的に収容するためのケーブル用凹部２３０ｄが形成されている。また、取付ベース２３０表面の左上部および右上部には、後述するカバー部材２５０を取付ベース２３０に取り付けるためのフック部２３３が設けられている。これら２つのフック部２３３は、後述するカバー部材２５０の門型のヒンジ部２５１と係合するフック状に形成されている。
【００５８】
また、取付ベース２３０表面の左下部には、後述するカバー用かしめピン２６０の一部が挿入される係止溝２３４、および係止孔２３５が設けられている。係止溝２３４は、左右方向に所定の長さで形成された溝状の孔であり、左側半分の幅広の脱離部２３４ａ、および右側半分の幅狭の係止部２３４ｂから構成されている。
【００５９】
＜カバー部材＞
次に、カバー部材２５０について説明する。カバー部材２５０は、取付ベース２３０に固定された主基板収納ケース２１０の上部に配置されたケース用かしめ部２１２ｃ、２１３ｃ、固定用かしめ部２１２ｄ、２１３ｄ、およびＩＣタグ封印シール２１５を前方（表側）から覆う（遮蔽する）と共に、主基板収納ケース２１０の左端部に位置するコネクタ２１１ｃを前方から覆う（遮蔽する）ための部材である。従って、カバー部材２５０は、水平方向に伸びる横長の略長方形板状の水平部２５０ａ、および水平部２５０ａの左端部を基端として下方向に伸びる縦長の略長方形板状の垂直部２５０ｂから構成された略Ｌ字形の一体形状の部材となっている。換言すれば、カバー部材２５０は、前方（表側）から見た場合に、主基板収納ケース２１０の左上角部から右方向に略水平に伸びる辺の近傍の領域、および左上角部から下方向に略垂直に伸びる辺の近傍の領域を覆うことが可能なＬ字形状に一体的に構成されている。
【００６０】
本実施例では、このようにカバー部材２５０をＬ字形状とすることにより、主基板収納ケース２１０の開封を阻止する開封阻止部であるケース用かしめ部２１２ｃ、２１３ｃ、固定用かしめ部２１２ｄ、２１３ｄ、ＩＣタグ封印シール２１５、およびコネクタ２１１ｃを１つの部材で効率的に覆い、主基板収納ケース２１０の開封または取付ベース２３０からの取り外しを阻止するようになっている。また、主基板収納ケース２１０内部の視認性、特に中央部の視認性を確保することで、主制御基板２１１に実装されたＲＯＭ３１２の目視による確認を阻害することがないようにしている。また、ＣＰＵやＲＡＭ等のその他の電子部品２１１ａについても、目視により容易に状態を確認することができるようになっている。
【００６１】
カバー部材２５０の水平部２５０ａの上端の左右両端部近傍には、門型のヒンジ部２５１が設けられている。カバー部材２５０は、これら２つのヒンジ部２５１を取付ベース２３０のフック部２３３に係合させることにより、取付けベース２３０に揺動可能、すなわち開閉可能に取付けられる。また、これらのヒンジ部２５１は、取付ベース２３０のフック部２３３よりも幅広に形成されているため、カバー部材２５０を取付けベース２３０に取付けた状態で、カバー部材２５０を左右にスライドさせることが可能となっている。
【００６２】
カバー部材２５０の垂直部２５０ｂは、コネクタ２１１ｃを覆う部分であるため、コネクタ２１１ｃに接続されるケーブルと干渉しないように垂直部２５０ｂの一部を前方（表側）に向けて膨出させた膨出部２５２が形成されている。従って、カバー部材２５０を取付ベース２３０に固定した状態では、コネクタ２１１ｃに接続されたケーブルは部分的にこの膨出部２５２の内部に収容されることとなる。また、垂直部２５０ｂの下端近傍には、後述するカバー用かしめピン２６０の一部が挿入される所定の幅の溝状の挿入孔２５３が設けられている。
【００６３】
さらに、カバー部材２５０の水平部２５０ａ裏面の中央部やや右よりには、棒状の破断部２５４が突設されている。この破断部２５４は、取付ベース２３０状でカバー部材２５０を閉塞状態（主基板収納ケース２１０の一部を覆う状態）にした場合に、主基板収納ケース２１０の逃げ溝２１２ｆ内に挿入される位置に設けられている。
【００６４】
カバー部材２５０は、カバー用かしめピン２６０により、取付ベース２３０上における閉塞状態が封印（かしめ）される。このカバー用かしめピン２６０は、カバー部材２５０の挿入孔２５３を通して取付ベース２３０の係止溝２３４に係止する第１係止部２６１と、取付ベース２３０の係止孔２３５に係止する第２係止部２６２と、第１係止部２６１および第２係止部２６２を連結する連結部２６３から構成されている。
【００６５】
第１係止部２６１は、略矩形平板状の基部２６１ａと、基部２６１ａに突設された平板状の挿入部２６１ｂと、挿入部２６１ｂの先端部から基端側に向けて斜めに突設された２つ舌片部２６１ｃから構成されている。また、第２係止部２６２は、略円盤状の基部２６２ａと、取付ベース２３０の係止孔２３５に挿入されて係止する挿入部２６２ｂから構成されている。
【００６６】
＜カバー部材の封印、および封印の解除＞
次に図５〜７を用いて、カバー部材２５０の封印、および封印の解除について説明する。図５は、取付ベース２３０への主基板収納ケース２１０の取り付け、およびカバー部材２５０の封印を示した図である。
【００６７】
カバー部材２５０はヒンジ部２５１およびフック部２３３を介して予め取付ベース２３０に取り付けられている。そして、同図に示されるように、カバー部材２５０を上方に開いた状態（開放状態）で、主基板収納ケース２１０を取付ベース２３０に取り付ける。主基板収納ケース２１０は、ケース用かしめ部２１２ｃ、２１３ｃおよびケース用かしめピン２１４ａによる封印がなされ、ＩＣタグ封印シール２１５が貼付けられた状態で取付ベース２３０に固定され、固定用かしめ部２１２ｄ、２１３ｄおよび固定用かしめピン２１４ｂにより主基板収納ケース２１０の取付ベース２３０への固定が封印される。そして、コネクタ２１１ｃに外部からのケーブル２１１ｄ（図６参照）を接続した後に、カバー部材２５０を下方に揺動させて閉塞状態とする。
【００６８】
カバー部材２５０を閉塞状態にする場合は、カバー部材２５０を右側に寄せた状態（第１位置にある状態）で行う。この第１の位置においては、カバー部材２５０の破断部２５４は、主基板収納ケース２１０の逃げ溝２１２ｆの、ＩＣタグ封印シール２１５に塞がれていない部分（右端部）内に挿入されるようになっている。
【００６９】
カバー部材２５０を閉塞状態とした後に、カバー用かしめピン２６０による封印を行う。具体的には、カバー用かしめピン２６０の第２係止部２６２を取付ベース２３０の係止孔２３５に挿入して係止させると共に、第１係止部２６１をカバー部材２５０の挿入孔２５３、および取付ベース２３０の係止溝２３４に挿入する。第１の位置における閉塞状態では、カバー部材２５０の挿入孔２５３と係止溝２３４の係止部２３４ｂが連通するようになっている。従って、第１係止部２６１は、舌片部２６１ｃを弾性変形させながら挿入部２６１ｂが挿入孔２５３および係止溝２３４の係止部２３４ｂ内に挿入される。そして、基部２６１ａがカバー部材２５０に略当接するまで挿入されたときに、舌片部２６１ｃが係止溝２３４の係止部２３４ｂを通過して弾性変形が解除され、第１係止部２６１は、取付ベース２３０とカバー部材２５０を接続した状態で係止溝２３４の係止部２３４ｂに取り外し不可能に係止する。これにより、カバー部材２５０は、カバー用かしめピン２６０によってスライドおよび揺動が規制され、カバー用かしめピン２６０を破壊する等の痕跡を残さない限り、開放状態とすることが不可能となる。すなわち、カバー部材２５０の閉塞状態が封印される。
【００７０】
図６（ａ）は、カバー部材２５０が閉塞状態で封印された状態を示した図である。同図に示されるように、カバー部材２５０を閉塞状態で封印した状態では、カバー部材２５０は、主基板収納ケース２１０のケース用かしめ部２１２ｃ、２１３ｃおよびケース用かしめピン２１４ａ、固定用かしめ部２１２ｄ、２１３ｄおよび固定用かしめピン２１４ｂ、ＩＣタグ封印シール２１５、ならびにコネクタ２１１ｃの開封阻止部を覆っている。このため、これらの開封阻止部への外部からのアクセスを困難にし、主制御基板２１１に対する不正行為をより確実に防止することが可能となっている。また、カバー部材２５０は、主基板収納ケース２１０の中央部分の視認性を阻害しないため、不正行為を効果的に防止しながらも、主制御基板２１１の状態（例えば、ＲＯＭ３１２に異常が生じていないか）を外部から容易に目視で確認可能となっている。
【００７１】
図６（ｂ）は、カバー部材２５０の封印の解除方法を示した図である。カバー部材２５０を開放する場合には、カバー部材２５０を第１の位置から左方向にスライドさせて、第２の位置に移動させる。第２の位置における閉塞状態では、カバー部材２５０の挿入孔２５３と係止溝２３４の脱離部２３４ａが連通するようになっている。従って、カバー部材２５０の移動に伴い、カバー用かしめピン２６０の第１係止部２６１は、係止溝２３４の係止部２３４ｂから脱離部２３４ａに移動する。第１係止部２６１の挿入部２６１ｂおよび舌片部２６１ｃは、第２の位置においては脱離部２３４ａから抜き取り可能となっている。このため、第２の位置においては、カバー部材２５０を開放状態とすることが可能となっている。
【００７２】
カバー部材２５０の封印を解除する場合には、同図に示されるように、カバー部材２５０の左方向へのスライドを規制しているカバー用かしめピン２６０を連結部２６３において切断する。これにより、カバー部材２５０を左方向にスライドさせることが可能となり、カバー部材２５０を第２の位置に移動させて開くことが可能となる。カバー部材２５０を開放状態とした後も、カバー用かしめピン２６０の第１係止部２６１はカバー部材２５０に係止した状態で残存し、第２係止部２６２は取付ベース２３０に係止した状態で残存する。従って、カバー部材２５０の封印が解除されたことを容易に識別可能となっている。
【００７３】
本実施例では、さらに、カバー部材２５０の封印を解除してカバー部材２５０を左方向にスライドさせた場合に、ＩＣタグ封印シール２１５の一部を破壊し、ＩＣタグ封印シール２１５の機能を不能化させるようになっている。
【００７４】
図７（ａ）および（ｂ）は、図６（ａ）および（ｂ）のＡ部拡大図である。まず、同図（ａ）に示されるように、第１の位置においてカバー部材２５０が封印された状態では、カバー部材２５０の破断部２５４は、逃げ溝２１２ｆの右端部内に挿入され、ＩＣタグ封印シール２１５の右横に位置する状態となっている。この状態では、破断部２５４とＩＣタグ封印シール２１５は干渉しておらず、ＩＣタグ封印シール２１５は機能を発揮可能、すなわちＩＣタグリーダ／ライタと通信可能であり、ＩＣタグ封印シール２１５に記憶された情報を外部から読み取り可能となっている。
【００７５】
カバー部材２５０の封印が解除され、カバー部材２５０が第２の位置に向けて左方向にスライドされると、破断部２５４は逃げ溝２１２ｆに沿ってカバー部材２５０と共に左方向に移動することとなる。従って、同図（ｂ）に示されるように、破断部２５４とＩＣタグ封印シール２１５が干渉し、ＩＣタグ封印シール２１５は破断部２５４によって一部を破断される。これにより、ＩＣタグ封印シール２１５に内蔵されたアンテナ２１５ｃが切断されるため、ＩＣタグ封印シール２１５とＩＣタグリーダ／ライタの通信が不可能となる。従って、ＩＣタグ封印シール２１５に記憶された情報を外部から読み取ることが不可能となり、ＩＣタグ封印シール２１５の機能が不能化される。
【００７６】
このように、本実施例では、カバー部材２５０の封印を解除して開放する場合に、ＩＣタグ封印シール２１５の機能が不能化されるようになっている。これにより、主制御基板２１１に対する不正行為を行おうとした場合に、その前段階のカバー部材２５０の開放においてＩＣタグ封印シール２１５の機能が不能化するため、ＩＣタグ封印シール２１５の機能を生かしたまま主制御基板２１１に対する不正行為が行われるのを確実に防止することができる。
【００７７】
また、本実施例では、取付ベース２３０のフック部２３３および係止溝２３４、カバー部材２５０のヒンジ部２５１および挿入口２５３、ならびにカバー用かしめピン２６０の第１係止部２６１の構成により、カバー部材２５０を封印した後はカバー部材２５０を第１の位置から第２の位置に移動させる方向（左方向）にしか移動（スライド）できないようになっている。さらに、カバー部材２５０を開放するためには、この左方向にカバー部材２５０を移動させることが必要となっている。すなわち、本実施例では、カバー部材２５０を解除（開放）するための解除方向が一方向に規制されている。本実施例では、このようにカバー部材２５０の解除方向を一方向に規制することによって、ＩＣタグ封印シール２１５の機能を不能化させるための動作を確実に行わせるようにしている。
【００７８】
なお、本実施例では、ＩＣタグ封印シール２１５を破断するための破断部２５４を円形断面の棒状に構成しているが、これに限定されるものではなく、例えばＩＣタグ封印シール２１５を破断しやすいように、側面に鋭利な部分を設けるようにしてもよい。また、本実施例では、カバー部材２５０を右側に寄せた位置を第１の位置、左側に寄せた状態を第２の位置としているが、第１の位置および第２の位置はこれに限定されるものではなく、例えば、カバー部材２５０を左側に寄せた位置を第１の位置、右側に寄せた状態を第２の位置としてもよいし、カバー部材２５０を上側（または下側）に寄せた位置を第１の位置、下側（または上側）に寄せた状態を第２の位置としてもよい。さらに、カバー部材２５０を直線的にスライドさせるのではなく、例えば回転させることによって第１の位置と第２の位置の間を移動させるようにしてもよい。
【００７９】
＜制御部＞
次に、図８および図９を用いて、このスロットマシン１００の制御部の回路構成について詳細に説明する。
【００８０】
スロットマシン１００の制御部は、大別すると、遊技の中枢部分を制御する主制御部３００と、主制御部３００より送信されたコマンドに応じて各種機器を制御する副制御部４００と、によって構成されている。
【００８１】
＜主制御部＞
まず、図８を用いて、スロットマシン１００の主制御部３００について説明する。なお、同図は主制御部３００の回路ブロック図を示したものである。
【００８２】
主制御部３００は、主制御部３００の全体を制御するための演算処理装置であるＣＰＵ３１０や、ＣＰＵ３１０が各ＩＣや各回路と信号の送受信を行うためのデータバスおよびアドレスバスを備え、その他、以下に述べる構成を有する。クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００８３】
また、ＣＰＵ３１０には、センサやスイッチの状態を常時監視するためのタイマ割り込み処理の周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００８４】
さらに、ＣＰＵ３１０には、各ＩＣを制御するためのプログラム、入賞役の内部抽選時に用いる抽選データ、リールの停止位置等の各種データを記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部４００においても同様である。また、ＣＰＵ３１０には、外部の信号を受信するための入力インタフェース３６０が接続され、割込み時間ごとに入力インタフェース３６０を介して、スタートレバーセンサ３２１、ストップボタンセンサ３２２、メダル投入ボタンセンサ３２３、精算スイッチセンサ３２４、メダル払い出しセンサ３２６、電源判定回路３２７の状態を検出し、各センサを監視している。
【００８５】
メダル投入センサ３２０は、メダル投入口１３４に投入されたメダルを検出するためのセンサである。スタートレバーセンサ３２１はスタートレバー１３５の操作を検出するためのセンサである。ストップボタンセンサ３２２はストップボタン１３７〜１３９のいずれかが押された場合、どのストップボタンが押されたかを検出するためのセンサである。メダル投入ボタンセンサ３２３はメダル投入ボタン１３０、１３１のいずれかが押下された場合、どのメダル投入ボタンが押されたかを検出するためのセンサである。精算スイッチセンサ３２４は、精算ボタン１３２に設けられており、精算ボタン１３２が一回押されると、貯留されているメダルおよびベットされているメダルが精算されて払い出されることになる。メダル払い出しセンサ３２６は、払い出されるメダルを検出するためのセンサである。電源判定回路３２７は、スロットマシン１００に供給される電源の遮断を検出するための回路である。
【００８６】
ＣＰＵ３１０には、更に、入力インタフェース３６１、出力インタフェース３７０、３７１がアドレスデコード回路３５０を介してアドレスバスに接続されている。ＣＰＵ３１０は、これらのインタフェースを介して外部のデバイスと信号の送受信を行っている。入力インタフェース３６１には、インデックスセンサ３２５が接続されている。インデックスセンサ３２５は、各リール１１０〜１１２の取付台の所定位置に設置されており、リール１１０〜１１２に設けた遮光片がこのインデックスセンサ３２５を通過するたびにハイレベルになる。ＣＰＵ３１０は、この信号を検出すると、リールが１回転したものと判断し、リールの回転位置情報をゼロにリセットする。出力インタフェース３７０には、リールを駆動させるためのモータを制御するリールモータ駆動部３３０と、ホッパー１８０のモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３４１（払出枚数表示器１２５、遊技回数表示器１２６、貯留枚数表示器１２７等）が接続されている。
【００８７】
また、ＣＰＵ３１０には、乱数発生回路３１７がデータバスを介して接続されている。乱数発生回路３１７は、水晶発振器３１１および水晶発振器３１６から発振されるクロックに基づいて、一定の範囲内で値をインクリメントし、そのカウント値をＣＰＵ３１０に出力することのできるインクリメントカウンタであり、後述する入賞役の内部抽選をはじめ各種抽選処理に使用される。ＣＰＵ３１０のデータバスには、副制御部４００にコマンドを送信するための出力インタフェース３７１が接続されている。主制御部３００と副制御部４００との情報通信は一方向の通信であり、主制御部３００は副制御部４００へコマンドを送信するが、副制御部４００から主制御部３００へ何らかのコマンド等を送信することはできない。
【００８８】
＜副制御部＞
次に、図９を用いて、スロットマシン１００の副制御部４００について説明する。なお、同図は副制御部４００の回路ブロック図を示したものである。
【００８９】
副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバスおよびアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。
【００９０】
また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００９１】
また、ＣＰＵ４１０には、副制御部４００の全体を制御するための命令およびデータ、ライン表示ＬＥＤの点灯パターンや各種表示器を制御するためのデータが記憶されたＲＯＭ４１２や、データ等を一時的に保存するためのＲＡＭ４１３が各バスを介して接続されている。
【００９２】
さらに、ＣＰＵ４１０には、外部の信号を送受信するための入出力インタフェース４６０が接続されており、入出力インタフェース４６０には、図柄表示窓１１３の外枠に配設され、点滅や点灯などの点灯制御によって有効ラインや入賞ラインを報知するためのライン表示ＬＥＤ４２０、前面扉１０２の開閉を検出するための扉センサ４２１、ＲＡＭ４１３のデータをクリアにするためのリセットスイッチ４２２が接続されている。
【００９３】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、時計ＩＣ４２３、７セグメント表示器４４０への信号を出力するための出力インタフェース４７２等が接続されている。
【００９４】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を遊技店の係員等が確認できるようになっている。更に、出力インタフェース４７０には、デマルチプレクサ４１９が接続されている。デマルチプレクサ４１９は、出力インタフェース４７０から送信された信号を各表示部等に分配する。即ち、デマルチプレクサ４１９は、ＣＰＵ４１０から受信されたデータに応じて上部ランプ１５０、サイドランプ１５１、中央ランプ１５２、腰部ランプ１５３、下部ランプ１５４、リールパネルランプ１２８、タイトルパネルランプ１７０、払出口ストロボ１７１を制御する。タイトルパネルランプ１７０は、タイトルパネル１６２を照明するランプであり、払出口ストロボ１７１は、メダル払い出し口１５５の内側に設置されたストロボタイプのランプである。なお、ＣＰＵ４１０は、扉・液晶画面制御部４９０への信号送信は、デマルチプレクサ４１９を介して実施する。扉・液晶画面制御部４９０は、液晶表示装置１５７および扉１６３を制御する制御部である。
【００９５】
＜主制御部の処理＞
次に、図１０を用いて、主制御部３００のメイン処理について説明する。なお、同図は、主制御部３００のメイン処理の流れを示すフローチャートである。
【００９６】
遊技の基本的制御は主制御部３００のＣＰＵ３１０が中心になって行い、電源断等を検知しないかぎり、同図の処理を実行する。また、各処理の実行によって得られた情報は副制御部４００に送信する。
【００９７】
スロットマシン１００に電源投入が行われると、まず、ステップＳ１０１で初期処理が実行される。ここでは各種の初期化処理が行われる。
【００９８】
ステップＳ１０２ではメダル投入・スタート操作受付処理を実行する。ここではメダルの投入の有無をチェックし、メダルの投入に応じて入賞ライン表示ランプ１２０を点灯させる。なお、前回の遊技で再遊技に入賞した場合は、前回の遊技で投入されたメダル枚数と同じ数のメダルを投入する処理を行うので、遊技者によるメダルの投入が不要となる。また、スタートレバー１３０が操作されたか否かのチェックを行い、スタートレバー１３５の操作があればステップＳ１０４へ進む。
【００９９】
ステップＳ１０３では投入されたメダル枚数を確定し、有効な入賞ラインを確定する。ステップＳ１０４では乱数発生器で発生させた乱数を取得する。
【０１００】
ステップＳ１０５では、現在の遊技状態に応じてＲＯＭに格納されている入賞役抽選テーブルを読み出し、これとステップＳ１０４で取得した乱数値とを用いて内部抽選を行う。内部抽選の結果、いずれかの入賞役（作動役を含む）に内部当選した場合、その入賞役のフラグがＯＮになる。ステップＳ１０６では内部抽選結果に基づき、リール停止データを選択する。
【０１０１】
ステップＳ１０７では全リール１１０〜１１２の回転を開始させる。ステップＳ１０８では、ストップボタン１３７〜１３９の受け付けが可能になり、いずれかのストップボタンが押されると、押されたストップボタンに対応するリール１１０〜１１２のいずれかをステップＳ１０６で選択したリール停止制御データに基づいて停止させる。全リール１１０〜１１２が停止するとステップＳ１０９へ進む。
【０１０２】
ステップＳ１０９では、入賞判定を行う。ここでは、有効化された入賞ライン１１４上に、何らかの入賞役に対応する絵柄組合せが表示された場合にその入賞役に入賞したと判定する。例えば、有効化された入賞ライン上に、「ベル−ベル−ベル」が揃っていたならばベル入賞と判定する。但し、ビッグボーナス（ＢＢ）およびレギュラーボーナス（ＲＢ）については、今回の遊技で入賞しなかった場合は、次回の遊技に内部当選フラグがＯＮの状態が維持される。所謂フラグの持ち越しが行われる。
【０１０３】
ステップＳ１１０では払い出しのある何らかの入賞役に入賞していれば、その入賞役に対応する枚数のメダルを入賞ライン数に応じて払い出す。ステップＳ１１１では遊技状態制御処理を行う。以上により１ゲームが終了する。以降ステップＳ１０２へ戻って上述した処理を繰り返すことにより遊技が進行することになる。
【０１０４】
＜副制御部の処理＞
次に、図１１（ａ）および（ｂ）を用いて、副制御部４００の処理について説明する。図１１（ａ）は、副制御部４００の割込み処理の流れを示すフローチャートである。副制御部４００は、所定の周期（本実施例では、２ｍｓに１回）でタイマ割込みを発生するハードウェアタイマを備えており、このタイマ割込みを契機として、副制御部４００の割込み処理を実行する。
【０１０５】
ステップＳ２０１では、受信コマンドがあるか否かを判定する。主制御部３００からコマンドを受信した場合はステップＳ２０２に進み、そうでない場合は処理を終了する。ステップＳ２０２では、受信コマンドを未処理コマンドとしてＲＡＭ４１３のコマンド記憶領域に記憶（格納）する。
【０１０６】
図１１（ｂ）は、副制御部４００のメイン処理の流れを示すフローチャートである。
【０１０７】
ステップＳ３０１では、ＲＡＭ４１３のコマンド記憶領域に未処理コマンド（上記副制御部４００の割込み処理によって格納される制御コマンド）が格納されているか否かを判定する。未処理コマンドがある場合はステップＳ３０２に進み、そうでない場合は上記判定を繰り返す。ステップＳ３０２では、未処理コマンドの内容を解析して判定する。
【０１０８】
ステップＳ３０３では、演出制御処理を行う。ここでは、主制御部３００から受信したコマンド等に基づいて、副制御部４００の各演出デバイス（演出ランプ４３０、スピーカ４８３等）、ならびに液晶表示装置１５７および扉装置１６３等による各種演出制御の設定や、動作制御データ等の更新を行う。
【０１０９】
ステップＳ３０４では、副制御部４００の各演出デバイス、ならびに液晶表示装置１５７および扉装置１６３を制御する扉・液晶画面制御部４９０に制御データを出力する必要があるか否かを判定する。制御データを出力する必要がある場合はステップＳ９０５に進み、そうでない場合はステップＳ３０１に戻る。ステップＳ３０５では、副制御部４００の各演出デバイスおよび扉・液晶画面制御部４９０に制御データを出力した後に、ステップＳ３０１に戻って上記処理を繰り返し実行する。
【実施例２】
【０１１０】
次に、本発明の実施例２に係るスロットマシンについて説明する。本実施例に係るスロットマシンは、主基板収納ケース２１０の一部を変更すると共に、カバー部材２６０を適用したものであり、他の構造については上記実施例１に係るスロットマシン１００と同一である。このため、同一部分については図中において同じ符号を付すと共に、その説明は省略し、以下、スロットマシン１００と異なる部分についてのみ説明する。
【０１１１】
＜主基板収納ケースおよびカバー部材＞
図１２は、主基板収納ケース２１０およびカバー部材２６０を示した分解斜視図である。同図に示されるように、本実施例の主基板収納ケース２１０は、固定用かしめ部を有さずに構成されている。また、ヒンジ部２１２ａおよびフック部２１３ａは、基板収納体２１２の左側縁および蓋体２１３の左側縁にそれぞれ設けられている。そして、基板収納体２１２の凸部２１２ｅ表面には、右端から右下にかけて円弧状に連続する逃げ溝２１２ｆが形成されている。ＩＣタグ封印シール２１５は、この逃げ溝２１２ｆの全体を塞ぐと共に、基板収納体２１２の凸部２１２ｅの表面と蓋体２１３の表面に跨って貼付けられる（図１３参照）。
【０１１２】
主制御基板２１１は、右上角部近傍および左下角部近傍に形成された係合孔２１１ｅ内に、基板収納体２１２に設けられた係合凸部２１２ｇが挿入されると共に、蓋体２１３に設けられた押圧凸部２１３ｇによって押圧されることによって主基板収納ケース２１０内に固定される。また、コネクタ２１１ｃは、主制御基板２１１の下端部に実装されている。
【０１１３】
本実施例では、カバー部材２６０は、基板収納ケース２１０の右側のケース用かしめ部２１２ｃ、２１３ｃを前方から覆い（遮蔽し）、主基板収納ケース２１０の開封を阻止する部材である。カバー部材２６０は、略長方形板状の部材であり、左下角部の裏面に突設された円筒状の支軸２６０ａと、右端部に設けられた係止部２６０ｂと、右下部の表面に突設された回転操作用の操作突起２６０ｃと、左上角部近傍の裏面に突設された破断部２６０ｄを備えている。また、カバー部材２６０の表面の右側部分には、回転操作の方向を示す円弧状の矢印２６０ｅが形成されている。
【０１１４】
カバー部材２６０は、蓋体２１３のケース用かしめ部２１３ｃと凹部２１３ｅの間に形成された回転孔２１３ｈ内に前方（表側）から支軸２６０ａが挿入され、後方（裏側）からネジ２６１が螺合されることによって蓋体２１３に回転自在に固定される。蓋体２１３に固定されたカバー部材２６０は、支軸２６０ａを中心に回転することで、ケース用かしめ部２１３ｃを遮蔽する第１の位置と、第１の位置から反時計回りに略９０度回転してケース用かしめ部２１３ｃを遮蔽しない第２の位置の間を移動する。
【０１１５】
なお、カバー部材２６０は、第１の位置においては、係止部２６０ｂが、蓋体２１３のケース用かしめ部２１３ｃの右側に設けられた係止突起２１３ｉに係止するようになっており、第１の位置にある状態を保持することが可能となっている。また、この係止突起２１３ｉは、カバー部材２６０が第１の位置から時計回りに回転しないようするストッパとしても機能している。すなわち、カバー部材２６０の回転方向（移動方向）は、正面から見て反時計回りのみに規制されている。
【０１１６】
図１３（ａ）は、カバー部材２６０が第１の位置にある状態を示した図であり、同図（ｂ）は、カバー部材２６０が第２の位置にある状態を示した図である。同図（ａ）に示されるように、第１の位置においては、カバー部材２６０は、ケース用かしめ部２１２ｃ、２１３ｃおよびケース用かしめピン２１４ａを前方から遮蔽する閉塞状態となっている。そして、同図（ｂ）に示されるように、第２の位置においては、カバー部材２６０は、ケース用かしめ部２１２ｃ、２１３ｃおよびケース用かしめピン２１４ａを遮蔽しない開放状態となっている。さらに、本実施例では、カバー部材２６０を回転操作により第１の位置から第２の位置に移動させる際に、ＩＣタグ封印シール２１５がカバー部材２６０の破断部２６０ｄによって破断されるようになっている。
【０１１７】
図１４（ａ）および（ｂ）は、図１３（ａ）および（ｂ）のＢ部拡大図である。まず、同図（ａ）に示されるように、カバー部材２６０は、第１の位置にあり、係止部２６０ｂが蓋体２１３の係止突起２１３ｉに係止した状態となっている。そして、破断部２６０は、逃げ溝２１２ｆの右側外部にあり、ＩＣタグ封印シール２１５とは干渉しない位置にある。この状態から係止部２６０ｂの係止突起２１３ｉへの係止を解除した上で、操作突起２６０ｃを介して矢印２６０ｅの方向に回転操作することにより、カバー部材２６０を第２の位置に移動させることができる。
【０１１８】
カバー部材２６０の破断部２６０ｄは、カバー部材２６０の回転に伴って逃げ溝２１２ｆ内に進入し、逃げ溝２１２ｆに沿って移動するようになっている。従って、同図（ｂ）に示されるように、破断部２６０ｄとＩＣタグ封印シール２１５が干渉し、ＩＣタグ封印シール２１５は破断部２６０ｄによって一部が破断される。これにより、ＩＣタグ封印シール２１５に内蔵されたアンテナ２１５ｃが切断されるため、ＩＣタグ封印シール２１５の機能が不能化される。
【０１１９】
このように、本実施例では、カバー部材２６０を第２の位置に移動させた場合に、ＩＣタグ封印シール２１５の機能が不能化されるようになっている。これにより、主制御基板２１１に対する不正行為を行おうとした場合に、その前段階のカバー部材２６０の開放においてＩＣタグ封印シール２１５の機能が不能化するため、ＩＣタグ封印シール２１５の機能を生かしたまま主制御基板２１１に対する不正行為が行われるのを確実に防止することができる。
【０１２０】
また、本実施例では、蓋体２１３の係止突起２１３ｉおよびカバー部材２６０の係止部２６０ｂの構成により、カバー部材２６０を第１の位置から第２の位置に移動させる方向（反時計回り）にしか移動（回転）できないようになっている。さらに、カバー部材２６０を開放するためには、この方向にカバー部材２６０を移動させることが必要となっている。すなわち、本実施例では、カバー部材２６０を解除（開放）するための解除方向が一方向に規制されている。本実施例では、このようにカバー部材２６０の解除方向を一方向に規制することによって、ＩＣタグ封印シール２１５の機能を不能化させるための動作を確実に行わせるようにしている。
【０１２１】
なお、本実施例では、主基板収納ケース２１０の右側のケース用かしめ部２１２ｃ、２１３ｃおよびケース用かしめピン２１４ａを遮蔽するカバー部材２６０の例を示したが、これに限定されるものではなく、カバー部材２６０は、主基板収納ケース２１０の左側のケース用かしめ部２１２ｃ、２１３ｃおよびケース用かしめピン２１４ａを遮蔽するものであってもよいし、全てのケース用かしめ部２１２ｃ、２１３ｃおよびケース用かしめピン２１４ａを遮蔽するものであってもよい。
【実施例３】
【０１２２】
次に、本発明の実施例３に係るスロットマシンについて説明する。本実施例に係るスロットマシンは、主基板収納ケース２１０および取付ベース２３０の一部を変更すると共に、カバー部材２７０を適用したものであり、他の構造については上記実施例１に係るスロットマシン１００と同一である。このため、同一部分については図中において同じ符号を付すと共に、その説明は省略し、以下、スロットマシン１００と異なる部分についてのみ説明する。
【０１２３】
＜主基板収納ケース、取付ベースおよびカバー部材＞
図１５は、主基板収納ケース２１０、取付ベース２３０およびカバー部材２６０を示した分解斜視図である。同図に示されるように、本実施例の主基板収納ケース２１０では、ケース用かしめ部２１２ｃ、２１３ｃが左端部に配置されている。また、蓋体２１３の右側縁に突設された２つの係止片２１３ｊを基板収納体２１２の右側縁に形成された２つの係止孔２１２ｈに係止させることによって、基板収納体２１２と蓋体２１３を組み合わせるように構成されている。さらに、基板収納体２１２の凸部２１２ｅの上部中央には、矩形状の凹部２１２ｉが形成されている。ＩＣタグ封印シール２１５は、この凹部２１２ｉの全体を塞ぐと共に、基板収納体２１２の凸部２１２ｅの表面と蓋体２１３の表面に跨って貼付けられる（図１６参照）。
【０１２４】
主制御基板２１１は、右上角部近傍および左下角部近傍に形成された係合孔２１１ｅ内に、基板収納体２１２に設けられた係合凸部２１２ｇが挿入されると共に、蓋体２１３に設けられた押圧凸部２１３ｇによって押圧されることによって主基板収納ケース２１０内に固定される。また、コネクタ２１１ｃは、主制御基板２１１の下端部に実装されている。
【０１２５】
取付ベース２３０の収容凹部２３０ａの下側縁には、主基板収納ケース２１０の下端部を前方（表側）から押さえることで、固定用かしめピン２１４ｂと共に主基板収納ケース２１０を取付ベース２３０に固定するための３つの押さえ部材２３６が突設されている。また、取付ベース２３０の上部には、前部（表面）および左部が開口した矩形状の箱体である突設部２３７が設けられている。この突設部２３７の前部の開口の右側縁には、カバー部材２７０の上下方向の移動を案内する溝状のガイド部２３７ａが設けられ、前部開口の上側縁の左端部近傍には、長方形板状の押圧部２３７ｂが下方に向けて突設されている。さらに、取付ベース２３０の右端面下部には、カバー部材２７０の一部が係合する係合溝２３８が形成されている。この係合溝２３８は、略Ｉ字形状またはＴ字形状の溝であり、最下部のやや幅広の挿入部２３８ａと、挿入部２３８ａ上の幅狭の案内部２３８ｂと、案内部２３８ｂ上の幅広の脱離部２３８ｃから構成されている。
【０１２６】
カバー部材２７０は、取付ベース２３０に固定された主基板収納ケース２１０の上部に配置された固定用かしめ部２１２ｄ、２１３ｄ、およびＩＣタグ封印シール２１５を前方（表側）から覆う（遮蔽する）と共に、主基板収納ケース２１０の左端部に配置されたケース用かしめ部２１２ｃ、２１３ｃを前方から覆い（遮蔽し）、主基板収納ケース２１０の開封または取付ベース２３０からの取り外しを阻止するための部材である。従って、カバー部材２７０は、水平方向に伸びる横長の略長方形板状の水平部２７０ａと、水平部２７０ａの左端部を基端として下方向に伸びる縦長の略長方形板状の垂直部２７０ｂと、垂直部２７０ｂの左端部を基端として後方（裏側）に向けて突出する側壁部２７０ｃから構成された略Ｌ字形の一体形状の部材となっている。
【０１２７】
水平部２７０ａ表面の上部の右端部近傍には、前方（表側）に向けて矩形状に膨出する破断部材収容部２７１が設けられている。破断部材収容部２７１の上面は開口しており、後端部に支軸２７２が水平方向に配設されている。この支軸２７２には、破断部材２７３が支軸２７２を中心に回転自在に取り付けられる。
【０１２８】
破断部材２７３は、３つの略Ｓ字形状の部材を一方の湾曲部において並列に連結して構成した部材である。破断部材２７３の連結された一方の湾曲部は、支軸２７２に取り付けられる基部２７３ａ、他方の湾曲部は、先端が鋭利に形成された刃部２７３ｂとなっている。基部２７３ａは、湾曲部を弾性変形させて広げ、支軸２７２の外側に嵌め込まれることにより、支軸２７２に回転自在に取り付けられる。刃部２７３ｂは、先端が鋭利に形成されたフック状または釣針状となっている。
【０１２９】
側壁部２７０ｃの裏面（右側面）の下端近傍には、取付ベース２３０と係合するための係合突起２７４が突設されている。係合突起２７４は、矩形断面の棒状の挿入部２７４ａ、および挿入部２７４ａの先端部から基端側に向けて斜めに突設された２つの舌片部２７４ｂから構成されている。
【０１３０】
＜カバー部材の取り付け、取り外し＞
次に、図１６〜１９を用いてカバー部材２７０の取り付けおよび取り外しについて説明する。図１６は、カバー部材２７０の取り付け方法を示した図である。
【０１３１】
同図に示されるように、カバー部材２７０を取り付ける前に、主基板収納ケース２１０が取付ベース２３０に固定される。主基板収納ケース２１０は、ケース用かしめ部２１２ｃ、２１３ｃおよびケース用かしめピン２１４ａによる封印がなされ、ＩＣタグ封印シール２１５が貼付けられた状態で取付ベース２３０に固定され、固定用かしめ部２１２ｄ、２１３ｄおよび固定用かしめピン２１４ｂにより主基板収納ケース２１０の取付ベース２３０への固定が封印される。
【０１３２】
カバー部材２７０は、左方から係合突起２７４を係合溝２３８の挿入部２３８ａに挿入することで取付ベース２３０に取り付けられる。図１７は、図１６のＣ部およびＤ部拡大図である。同図に示されるように、係合突起２７４は、２つの舌片部２７４ｂを弾性変形させながら挿入部２３８ａ内に挿入され、舌片部２７４ｂの弾性変形が解除された後は、挿入部２３８ａから抜き取り不可能に係止する。
【０１３３】
本実施例では、係合突起２７４を係合溝２３８から抜き取ってカバー部材２７０を取り外す場合には、まず、カバー部材２７０を上方に向けてスライドさせ、挿入部２７４ａを係合溝２３８の案内部２３８ｂに沿わせながら係合突起２７４を脱離部２３８ｃまで移動させる。そして、カバー部材２７０を左方に向けて移動させて幅広の脱離部２３８ｃから係合突起２７４を抜き取り、カバー部材２７０を取付ベース２３０から取り外す。従って、本実施例では、係合突起２７４が挿入部２３８ａに位置し、カバー部材２７０を取り外し不可能となる下側の位置が第１の位置であり、係合突起２７４が脱離部２３８ｃに位置し、カバー部材２７０を取り外し可能となる上側の位置が第２の位置となる。
【０１３４】
図１６に戻って、カバー部材２７０が取付ベース２３０に取り付けられた状態では、水平部２７０ａの右端が取付ベース２３０のガイド部２３７ａに嵌り込んだ状態となる。従って、取付ベース２３０にカバー部材２７０をしっかりと取り付けることが可能となっている。また、水平部２７０ａの右端がガイド部２３７ａに案内されることにより、カバー部材２７０を取り外す場合に、スムーズにスライドさせることが可能となっている。
【０１３５】
また、カバー部材２７０が取付ベース２３０に取り付けられた状態では、支軸２７２に取り付けられた破断部材２７３の受圧部２７３ｃが、取付ベース２３０の突設部２３７に設けられた押圧部２７３ｂに対応する位置に位置するようになっている。なお、この破断部材２７３の受圧部２７３ｃは、中央の略Ｓ字形状部材の基部２７３ａの先端部に設けられている。
【０１３６】
図１８（ａ）は、カバー部材２７０が第１の位置にある状態を示した図であり、同図（ｂ）は、カバー部材２７０が第２の位置にある状態を示した図である。同図（ａ）に示されるように、カバー部材２７０が第１の位置にある状態では、カバー部材２７０は、主基板収納ケース２１０のケース用かしめ部２１２ｃ、２１３ｃおよびケース用かしめピン２１４ａ、固定用かしめ部２１２ｄ、２１３ｄおよび固定用かしめピン２１４ｂ、ならびにＩＣタグ封印シール２１５の開封阻止部を覆っている。このため、これらの開封阻止部への外部からのアクセスを困難にし、主制御基板２１１に対する不正行為をより確実に防止することが可能となっている。また、カバー部材２７０は、主基板収納ケース２１０の中央部分の視認性を阻害しないため、不正行為を効果的に防止しながらも、主制御基板２１１の状態を外部から容易に目視で確認可能となっている。
【０１３７】
また、本実施例では、カバー部材２７０を第１の位置から、同図（ｂ）に示されるように、上方に向けてスライドさせて第２の位置に移動させた場合に、破断部材２７３によってＩＣタグ封印シール２１５の一部を破断するようになっている。
【０１３８】
図１９（ａ）および（ｂ）は、図１８（ｂ）のＥ部拡大図である。同図（ａ）に示されるように、カバー部材２７０が第１の位置にある状態では、破断部材２７３は、破断部材収容部２７１内に収容された状態で、ＩＣタグ封印シール２１５の凹部２１２ｉを塞いでいる部分の前方に位置している。そして破断部材２７３の受圧部２７３ｃは、押圧部２３７ｂの略直下に位置している。
【０１３９】
この状態から、カバー部材２７０を上方にスライドさせると、押圧部２３７ｂの先端が破断部材２７３の受圧部２７３ｃに当接する。そして、カバー部材２７０のスライドに伴って押圧部２３７ｂが受圧部２７３ｃを押圧し、破断部材２７３を支軸２７２を中心に回転させる。これにより、破断部材２７３の３つの刃部２７３ｂの先端が、前方からＩＣタグ封印シール２１５に突き刺さり、同図（ｂ）に示されるように、ＩＣタグ封印シール２１５の一部を破断する。これにより、ＩＣタグ封印シール２１５に内蔵されたアンテナ２１５ｃが切断されるため、ＩＣタグ封印シール２１５の機能が不能化される。
【０１４０】
このように、本実施例では、カバー部材２７０を取り外し可能な第２の位置に移動させた場合に、ＩＣタグ封印シール２１５の機能が不能化されるようになっている。これにより、主制御基板２１１に対する不正行為を行おうとした場合に、その前段階のカバー部材２８０の取り外しにおいてＩＣタグ封印シール２１５の機能が不能化するため、ＩＣタグ封印シール２１５の機能を生かしたまま主制御基板２１１に対する不正行為が行われるのを確実に防止することができる。
【０１４１】
また、本実施例では、取付ベース２３０の係合溝２３８、およびカバー部材２７０の係合突起２７４の構成により、カバー部材２７０を取付ベース２３０に取り付けた後はカバー部材２７０を第１の位置から第２の位置に移動させる方向（上方向）にしか移動（スライド）できないようになっている。さらに、カバー部材２７０を開放する（取り外す）ためには、この上方向にカバー部材２７０を移動させることが必要となっている。すなわち、本実施例では、カバー部材２７０を解除（開放）するための解除方向が一方向に規制されている。本実施例では、このようにカバー部材２７０の解除方向を一方向に規制することによって、ＩＣタグ封印シール２１５の機能を不能化させるための動作を確実に行わせるようにしている。
【実施例４】
【０１４２】
次に、本発明の実施例４に係るスロットマシンについて説明する。本実施例に係るスロットマシンは、主基板収納ケース２１０および取付ベース２３０の一部を変更すると共に、カバー部材２８０を適用したものであり、他の構造については上記実施例１に係るスロットマシン１００と同一である。このため、同一部分については図中において同じ符号を付すと共に、その説明は省略し、以下、スロットマシン１００と異なる部分についてのみ説明する。
【０１４３】
＜主基板収納ケース、取付ベースおよびカバー部材＞
図２０は、主基板収納ケース２１０、取付ベース２３０およびカバー部材２８０を示した分解斜視図である。同図に示されるように、本実施例の主基板収納ケース２１０では、ケース用かしめ部２１２ｃ、２１３ｃが左端部に配置されている。また、蓋体２１３の右側縁に突設された２つの係止片２１３ｊを基板収納体２１２の右側縁に形成された２つの係止孔２１２ｈに係止させることによって、基板収納体２１２と蓋体２１３を組み合わせるように構成されている。
【０１４４】
基板収納体２１２の凸部２１２ｅの表面には、左端から中央部にかけて左右方向に連続する逃げ溝２１２ｆが形成されている。また、蓋体２１３表面の凹部２１３ｅの左側および下側には、３つの逃げ溝２１３ｋが形成されている。蓋体２１３の凹部２１３の左側の逃げ溝２１３ｋは、基板収納体２１２と蓋体２１３を組み合わせた場合に、基板収納体２１２の逃げ溝２１２ｆと連続するように形成されている。また、蓋体２１３の凹部２１３の下側の２つの逃げ溝２１３ｋは、連続した逃げ溝２１２ｆ、２１３ｋと略同一の長さに形成されている。
【０１４５】
蓋体２１３の３つの逃げ溝２１３ｋの右端部の後方（裏側）には、支軸２７２が上下方向に配設されている。この支軸２７２には、実施例３と同一の構成の破断部材２７３が回転自在に取り付けられる。支軸２７２に取り付けられた破断部材２７３は、３つの刃部２７３ｂがそれぞれ３つの逃げ溝２１３ｋを通して前方に突出可能な位置に位置している。ＩＣタグ封印シール２１５は、連続した逃げ溝２１２ｆ、２１３ｋ、およびその下の２つの逃げ溝２１３ｋの左端部以外の部分を塞ぐようにして、基板収納体２１２の凸部２１２ｅの表面と蓋体２１３の表面に跨って貼付けられる（図２１参照）。
【０１４６】
主制御基板２１１は、右上角部近傍および左下角部近傍に形成された係合孔２１１ｅ内に、基板収納体２１２に設けられた係合凸部２１２ｇが挿入されると共に、蓋体２１３に設けられた押圧凸部２１３ｇによって押圧されることによって主基板収納ケース２１０内に固定される。また、コネクタ２１１ｃは、主制御基板２１１の下端部に実装されている。
【０１４７】
取付ベース２３０の収容凹部２３０ａの下側縁には、主基板収納ケース２１０の下端部を前方（表側）から押さえることで、固定用かしめピン２１４ｂと共に主基板収納ケース２１０を取付ベース２３０に固定するための３つの押さえ部材２３６が突設されている。また、取付ベース２３０表面の上端部および左端部には、カバー部材２８０のスライドを案内するためのガイドレール２３８が設けられている。このガイドレール２３８は、カバー部材２８０の上下方向のスライドを案内する縦ガイドレール２３８ａ、および左右方向のスライドを案内する横ガイドレール２３８ｂから構成されている。縦ガイドレール２３８ａおよび横ガイドレール２３８ｂには、カバー部材２８０の左端部および上端部が嵌り込む溝がそれぞれ形成されている。さらに、取付ベース２３０の下端面の左端部には、カバー部材２７０の一部が係合する係合溝２３８が形成されている。この係合溝２３８は、Ｔ字形状の溝であり、最左側部の幅狭の挿入部２３８ａと、挿入部２３８ａ右の幅狭の案内部２３８ｂと、案内部２３８ｂ右の幅広の脱離部２３８ｃから構成されている。
【０１４８】
カバー部材２８０は、取付ベース２３０に固定された主基板収納ケース２１０の上部に配置された固定用かしめ部２１２ｄ、２１３ｄ、およびＩＣタグ封印シール２１５を前方（表側）から覆う（遮蔽する）と共に、主基板収納ケース２１０の左端部に配置されたケース用かしめ部２１２ｃ、２１３ｃを前方から覆い（遮蔽し）、主基板収納ケース２１０の開封または取付ベース２３０からの取り外しを阻止するための部材である。従って、カバー部材２８０は、水平方向に伸びる横長の略長方形板状の水平部２８０ａと、水平部２８０ａの左端部を基端として下方向に伸びる縦長の略長方形板状の垂直部２８０ｂと、垂直部２８０ｂの下端部を基端として後方（裏側）に向けて突出する側壁部２８０ｃから構成された略Ｌ字形の一体形状の部材となっている。
【０１４９】
水平部２８０ａの長手方向中間部には、矩形状に膨出する膨出部２８１が設けられている。この膨出部２８１の左内側面は、破断部材２７３の刃部２７３ｂを押圧するための押圧部２８２となっている。側壁部２８０ｃの裏面（右側面）の下端近傍には、取付ベース２３０と係合するための係合突起２８４が突設されている。係合突起２８４は、矩形断面の棒状の挿入部２８４ａ、および挿入部２８４ａの先端部から基端側に向けて斜めに突設された２つの舌片部２８４ｂから構成されている。
【０１５０】
＜カバー部材の取り付け、取り外し＞
次に、図２１〜２３を用いてカバー部材２８０の取り付けおよび取り外しについて説明する。図２１は、カバー部材２８０の取り付け方法を示した図である。
【０１５１】
同図に示されるように、カバー部材２８０を取り付ける前に、主基板収納ケース２１０が取付ベース２３０に固定される。主基板収納ケース２１０は、ケース用かしめ部２１２ｃ、２１３ｃおよびケース用かしめピン２１４ａによる封印がなされ、ＩＣタグ封印シール２１５が貼付けられた状態で取付ベース２３０に固定され、固定用かしめ部２１２ｄ、２１３ｄおよび固定用かしめピン２１４ｂにより主基板収納ケース２１０の取付ベース２３０への固定が封印される。破断部材２７３は、逃げ溝２１３ｋ左端部のＩＣタグ封印シール２１５に塞がれていない部分から前方に突出しており、刃部２７３ｂの先端がＩＣタグ封印シール２１５の前方に位置している。
【０１５２】
カバー部材２８０は、右端部を縦ガイドレール２３８ａに沿わせて上方に向けてスライドさせ、下方から係合突起２８４を係合溝２３８の挿入部２３８ａに挿入することで取付ベース２３０に取り付けられる。係合突起２８４は、２つの舌片部２８４ｂを弾性変形させながら挿入部２３８ａ内に挿入され、舌片部２８４ｂの弾性変形が解除された後は、挿入部２３８ａから抜き取り不可能に係止する。このとき、カバー部材２８０の左端部は、縦ガイドレール２３８ａの溝内に嵌り込んだ状態であり、カバー部材２８０の上端部は、横ガイドレール２３８ｂの溝内に嵌り込んだ状態であるため、カバー部材２８０は、取付ベース２３０にしっかりと取り付けられる。また、主基板収納ケース２１０から突出した破断部材２７３の刃部２７３ｂは、カバー部材２８０の膨出部２８１内に収容された状態となる。
【０１５３】
本実施例では、係合突起２８４を係合溝２３８から抜き取ってカバー部材２８０を取り外す場合には、まず、カバー部材２８０を横ガイドレール２３８ｂに沿って右方に向けてスライドさせ、挿入部２８４ａを係合溝２３８の案内部２３８ｂに沿わせながら係合突起２８４を脱離部２３８ｃまで移動させる。そして、カバー部材２８０を下方に向けて移動させて幅広の脱離部２３８ｃから係合突起２８４を抜き取り、カバー部材２８０を取付ベース２３０から取り外す。従って、本実施例では、係合突起２８４が挿入部２３８ａに位置し、カバー部材２８０を取り外し不可能となる左側の位置が第１の位置であり、係合突起２８４が脱離部２３８ｃに位置し、カバー部材２８０を取り外し可能となる右側の位置が第２の位置となる。
【０１５４】
図２２（ａ）は、カバー部材２８０が第１の位置にある状態を示した図であり、同図（ｂ）は、カバー部材２８０が第２の位置にある状態を示した図である。同図（ａ）に示されるように、カバー部材２８０が第１の位置にある状態では、カバー部材２８０は、主基板収納ケース２１０のケース用かしめ部２１２ｃ、２１３ｃおよびケース用かしめピン２１４ａ、固定用かしめ部２１２ｄ、２１３ｄおよび固定用かしめピン２１４ｂ、ならびにＩＣタグ封印シール２１５の開封阻止部を覆っている。このため、これらの開封阻止部への外部からのアクセスを困難にし、主制御基板２１１に対する不正行為をより確実に防止することが可能となっている。また、カバー部材２８０は、主基板収納ケース２１０の中央部分の視認性を阻害しないため、不正行為を効果的に防止しながらも、主制御基板２１１の状態を外部から容易に目視で確認可能となっている。
【０１５５】
また、本実施例では、カバー部材２８０を第１の位置から、同図（ｂ）に示されるように、右方に向けてスライドさせて第２の位置に移動させた場合に、破断部材２７３によってＩＣタグ封印シール２１５の一部を破断するようになっている。
【０１５６】
図２３（ａ）および（ｂ）は、図２２（ａ）および（ｂ）のＦ部拡大図である。同図（ａ）に示されるように、カバー部材２８０が第１の位置にある状態では、破断部材２７３は、突出した刃部２７３ｂが膨出部２８１内に収容された状態で、刃部２７３ｂの先端がＩＣタグ封印シール２１５の逃げ溝２１２ｆ、２１３ｋを塞いでいる部分の前方に位置している。
【０１５７】
この状態から、カバー部材２８０を右方にスライドさせると、押圧部２８２ｂが突出した３つの刃部２７３ｂに当接する。そして、カバー部材２８０のスライドに伴って押圧部２８２ｂが刃部２７３ｂを押圧し、破断部材２７３を支軸２７２を中心に回転させる。これにより、刃部２７３ｂの先端が、前方からＩＣタグ封印シール２１５に突き刺さり、同図（ｂ）に示されるように、ＩＣタグ封印シール２１５の一部を破断する。これにより、ＩＣタグ封印シール２１５に内蔵されたアンテナ２１５ｃが切断されるため、ＩＣタグ封印シール２１５の機能が不能化される。
【０１５８】
このように、本実施例では、カバー部材２８０を取り外し可能な第２の位置に移動させた場合に、ＩＣタグ封印シール２１５の機能が不能化されるようになっている。これにより、主制御基板２１１に対する不正行為を行おうとした場合に、その前段階のカバー部材２８０の取り外しにおいてＩＣタグ封印シール２１５の機能が不能化するため、ＩＣタグ封印シール２１５の機能を生かしたまま主制御基板２１１に対する不正行為が行われるのを確実に防止することができる。
【０１５９】
また、本実施例では、取付ベース２３０の係合溝２３８、およびカバー部材２８０の係合突起２８４の構成により、カバー部材２８０を取付ベース２３０に取り付けた後はカバー部材２８０を第１の位置から第２の位置に移動させる方向（右方向）にしか移動（スライド）できないようになっている。さらに、カバー部材２８０を開放する（取り外す）ためには、この右方向にカバー部材２８０を移動させることが必要となっている。すなわち、本実施例では、カバー部材２８０を解除（開放）するための解除方向が一方向に規制されている。本実施例では、このようにカバー部材２８０の解除方向を一方向に規制することによって、ＩＣタグ封印シール２１５の機能を不能化させるための動作を確実に行わせるようにしている。
【実施例５】
【０１６０】
次に、本発明の実施例５に係るスロットマシンについて説明する。本実施例に係るスロットマシンは、主基板収納ケース２１０および取付ベース２３０の一部を変更すると共に、カバー部材２９０および破断部材５００を適用したものであり、他の構造については上記実施例１に係るスロットマシン１００と同一である。このため、同一部分については図中において同じ符号を付すと共に、その説明は省略し、以下、スロットマシン１００と異なる部分についてのみ説明する。
【０１６１】
＜主基板収納ケース、取付ベースおよびカバー部材＞
図２４は、主基板収納ケース２１０、取付ベース２３０およびカバー部材２９０を示した分解斜視図である。同図に示されるように、本実施例の主基板収納ケース２１０では、ケース用かしめ部２１２ｃ、２１３ｃ、および固定用かしめ部２１２ｄ、２１３ｄが左端部に配置されている。また、蓋体２１３の右側縁に突設された２つの係止片２１３ｊを基板収納体２１２の右側縁に形成された２つの係止孔２１２ｈに係止させることによって、基板収納体２１２と蓋体２１３を組み合わせるように構成されている。
【０１６２】
基板収納体２１２の凸部２１２ｅの表面には、左端から右端にかけて左右方向に連続する取付レール２１２ｊが形成されている。また、凸部２１２ｅの右側には、破断部材５００が２つのネジ５０１を介して取り付けられている。図２５は、破断部材５００の分解斜視図である。同図に示されるように、破断部材５００は、本体部５１０と、スライド部５２０と、揺動部５３０から構成されている。本体部５１０は、横長の矩形状の中空体であり、長手方向の両端部にネジ５０１を挿通するための挿通孔５１１が形成されている。また長手方向の一端には、スライド部５２０の一部が挿入される円形の挿入孔５１２が形成され、前方（取り付けられる基板収納体２１２の反対側）の側面には横長の矩形状の突出孔５１３が形成されている。
【０１６３】
スライド部５２０は、凹部５２１が設けられた横長の角皿状であり、長手方向の一端に円形断面の棒状の挿入部５２２が突設されている。また、幅方向の側面には、揺動部５３０を取り付けるための取付孔５２３が形成され、凹部５２１の幅方向の内側面には、矩形状のストッパ５２４が形成されている。また、挿入部５２２の外周にはコイルバネ５２５が配設されている。
【０１６４】
揺動部５３０は、円柱状の基部５３１と、基部５３１から半径方向に突設された刃部５３２、および板バネ部５３３から構成されている。基部５３１の両端には、スライド部５２０の取付孔５２２内に挿入される支軸５３１ａが突設されている。刃部５３２は、前方の側面にＩＣタグ封印シール２１５を破断するための角部５３２ａが設けられると共に、幅方向の両側面にストッパ５３２ｂが設けられている。板バネ部５３３は、矩形板状であり、刃部５３２とは所定の角度を有して刃部５３２の基端部近傍から突設されている。
【０１６５】
揺動部５３０は、支軸５３１ａを取付孔５２３内に挿入することで、スライド部５２０に揺動自在に取り付けられる。揺動部５３０がスライド部５２０に取り付けられた状態では、板バネ部５３３が凹部５２１の底面に当接して弾性変形するため、常に前方に向けて付勢された状態となる。従って、揺動部５３０のストッパ５３２ｂがスライド部５２０のストッパ５２４に当接して、刃部５３２が凹部５２１から突出した状態となる。スライド部５２０は、挿入部５２２を挿入孔５１２内に挿入することで、本体部５１０の内部にスライド可能に取り付けられる。
【０１６６】
組み立てられた破断部材５００は、揺動部５３０の刃部５３２が常に突出孔５１３から突出した状態となるが、外部から刃部５３２を板バネ部５３３の付勢力に抗して押圧することにより、刃部５３２全体を本体部内に収容することが可能となっている。また、スライド部５２０および揺動部５３０は、コイルバネ５２５の付勢力によって常に挿入孔５１２の反対側の端部に寄った状態となるが、外部から刃部５３２の先端をコイルバネ５３５の付勢力に抗して押圧することにより、スライド部５２０および揺動部５３０を挿入孔５１２に向けてスライドさせることが可能となっている。
【０１６７】
図２４に戻って、主制御基板２１１は、右上角部近傍および左下角部近傍に形成された係合孔２１１ｅ内に、基板収納体２１２に設けられた係合凸部２１２ｇが挿入されると共に、蓋体２１３に設けられた押圧凸部２１３ｇによって押圧されることによって主基板収納ケース２１０内に固定される。主制御基板２１１の形状は、基板収納体２１２の凸部２１２ｅおよび破断部材５００と干渉しないために略Ｌ字形状に形成されている。また、コネクタ２１１ｃは、主制御基板２１１の下端部に加えて、右上角部近傍にも実装されている。
【０１６８】
蓋体２１３表面の上部には、カバー部材２９０を取り付けるための取付部２１３ｌが設けられている。この取付部２１３ｌは、蓋体２１３表面を横長の略矩形状に突出させたものであり、上下両端部には、それぞれカバー部材２９０の縁が嵌り込んで係合する取付レール２１３ｍが設けられている。なお、基板収納体２１２の取付レール２１２ｊは、基板収納体２１２と蓋体２１３を組み合わせた場合に、取付部２１３ｌの上端部の取付レール２１３ｍと連続し、取付レール２１３ｍの一部を構成するようになっている。
【０１６９】
凹部２１３ｅの右側となる取付部２１３ｌの右上部には、破断部材５００の一部を露出させるための破断部材孔２１３ｎが形成されている。また、取付部２１３ｌの右側には、主制御基板２１１の右上角部近傍に実装されたコネクタ２１１ｃの一部を露出させるためのコネクタ孔２１３ｆが形成されている。
【０１７０】
ＩＣタグ封印シール２１５は、蓋体２１３の取付部２１３ｌの表面、基板収納体２１２の凸部２１２ｅの表面、および破断部材５００の本体部５１０の表面に跨って貼付けられる（図２６（ｂ）参照）。
【０１７１】
カバー部材２９０は、本実施例では、主制御基板２１１の右上角部近傍に実装されたコネクタ２１１ｃを覆い（遮蔽し）、主基板収納ケース２１０の開封を阻止するための部材である。カバー部材２９０は、奥行きの異なる２つの箱体を組み合わせ、後端面（裏面）および右側面を開口させた形状に構成されている。カバー部材２９０の左右方向の中間部に設けられた段付部分の仕切り壁は、破断部材５００の刃部５３２を押圧するための押圧部２９１となっている。
【０１７２】
なお、本実施例では、ケース用かしめ部２１２ｃ、２１３ｃおよび固定用かしめ部２１２ｄ、２１３ｄの配置に応じて、２つのケース用かしめピン２１４ａおよび１つの固定用かしめピン２１４ｂを略Ｅ字形状の連結部材２１４ｃで連結している。
【０１７３】
＜カバー部材の取り付け＞
次に、図２６および２７を用いて、カバー部材２９０の取り付けについて説明する。図２６（ａ）および（ｂ）は、カバー部材２９０の取り付け方法を示した図である。
【０１７４】
まず、同図（ａ）に示されるように、基板収納体２１２と蓋体２１３が組み合わされる。このとき、基板収納体２１２の取付レール２１２ｊと取付部２１３ｌの上端部の取付レール２１３ｍが連続する。また、取付部２１３ｌの表面、凸部２１２ｅの表面、および破断部材５００の本体部５１０の一部の表面は、略面一となり、破断部材５００の刃部５３２は、蓋体２１３の前方（表側）に突出した状態となる。
【０１７５】
ＩＣタグ封印シール２１５は、同図（ｂ）に示されるように、破断部材５００の刃部５３２の突出部分の左側において、取付部２１３ｌの表面、凸部２１２ｅの表面、および破断部材５００の本体部５１０の表面に跨って貼付けられる。カバー部材２９０は、ＩＣタグ封印シール２１５を貼付けた後に、左方から取付レール２１３ｍに縁部を嵌め込んで蓋体２１３に取り付けられる。そして、カバー部材２９０は、そのまま取付レール２１３ｍに沿って右方に向けてスライドされ、取付部２１３ｌの右側のコネクタ２１１ｃを覆う第１の位置まで移動される。
【０１７６】
図２７（ａ）は、カバー部材２９０の第１の位置までの移動を示した図であり、同図（ｂ）は、同図（ａ）のＧ部拡大図である。同図（ａ）に示されるように、カバー部材２９０を第１の位置に向けて移動させると、途中で押圧部２９１が破断部材５００の刃部５３２に当接する。そして、同図（ｂ）に示されるように、押圧部２９１が刃部５３２を本体部５１０内に押し込みながらカバー部材２９０は右方に向けてスライドし、押圧部２９１が刃部５３２を通過した後に、コネクタ２１１ｃを覆う第１の位置にカバー部材２９０が到達する。押圧部２９１が刃部５３２を通過した後は、板バネ部５３３の復元力により、刃部５３２は再度突出した状態となる。
【０１７７】
＜コネクタの遮蔽の解除＞
次に、図２８および２９を用いて、コネクタ２１１ｃの遮蔽の解除について説明する。図２８（ａ）は、カバー部材２９０が第１の位置にある状態を示した図である。同図に示されるように、カバー部材２９０が第１の位置にある状態では、右上部のコネクタ２１１ｃはカバー部材２９０によって遮蔽されており、このコネクタ２１１ｃに接続されたケーブル２１１ｄを外すことが不可能となっている。また、カバー部材２９０は、ＩＣタグ封印シール２１５の一部を遮蔽すると共に、主基板収納ケース２１０の中央部分の視認性を阻害しないようになっている。
【０１７８】
実施例１で述べたように、コネクタ２１１ｃは、ケース用かしめ部２１２ｃ、２１３ｃおよびケース用かしめピン２１４ａ、固定用かしめ部２１２ｄ、２１３ｄおよび固定用かしめピン２１４ｂ、ならびにＩＣタグ封印シール２１５と共に、主基板収納ケース２１０の開封または取り外しを阻止する開封阻止部として機能している。従って、主基板収納ケース２１０を開封するには、コネクタ２１１ｃに接続されたケーブル２１１ｄを外す必要があり、本実施例では、カバー部材２９０による遮蔽を解除しない限り、右上部のコネクタ２１１ｃに接続されたケーブル２１１ｄを外すことができないようになっている。
【０１７９】
図２８（ｂ）は、コネクタ２１１ｃの遮蔽の解除の方法を示した図である。コネクタ２１１ｃの遮蔽の解除は、同図に示されるように、カバー部材２９０を取付レール２１３ｍに沿って左方に向けてスライドさせ、右上部のコネクタ２１１ｃを開放する第２の位置にカバー部材２９０を移動させることによって行う。本実施例では、カバー部材２９０を第２の位置に移動させ、カバー部材２９０によるコネクタ２１１ｃの遮蔽を解除した場合に、破断部材５００の刃部５３２によってＩＣタグ封印シール２１５の一部を破断するようになっている。
【０１８０】
図２９（ａ）および（ｂ）は、コネクタ２１１ｃの遮蔽の解除方法を拡大して示した図である。同図（ａ）に示されるように、カバー部材２９０が第１の位置にある状態では、押圧部２９１は、突出した刃部５３２の右側に位置している。この状態から、カバー部材２９０を左方の第２の位置に向けて移動させると、押圧部２９１が刃部５３２の先端に当接する。そして、カバー部材２９０のスライドに伴って、刃部５３２はスライド部５２０と共に左方に向けて移動し、同図（ｂ）に示されるように、ＩＣタグ封印シール２１５の一部を破断する。これにより、ＩＣタグ封印シール２１５に内蔵されたアンテナ２１５ｃが切断されるため、ＩＣタグ封印シール２１５の機能が不能化される。
【０１８１】
なお、同図（ｂ）は、カバー部材２９０が第２の位置にある状態を示しているが、本実施例では、カバー部材２９０は第２の位置にある状態を保持されないようになっている。具体的には、カバー部材２９０を左方に向けて押す力を解除すると、カバー部材２９０は、破断部材５００のコイルバネ５３５の付勢力によって第１の位置に押し戻されるようになっている。
【０１８２】
従って、カバー部材２９０を一旦第２の位置に移動（左方向に移動）させて、コネクタ２１１ｃに接続されたケーブル２１１ｄを外した後は、カバー部材２９０はコイルバネ５３５の付勢力によって自動的に第１の位置に移動（右方向に移動）する。ケーブル２１１ｄを外した後は、カバー部材２９０の押圧部２９１がケーブル２１１ｄと干渉しなくなるため、カバー部材２９０を取付レール２１３ｍに沿って右方向に移動させることが可能となる。そして、そのまま右方向に移動させることによりカバー部材２９０は取付レール２１３ｍから外れ、カバー部材２９０は蓋体２１３から取り外される。
【０１８３】
このように、本実施例では、カバー部材２９０を取り外し可能な第２の位置に移動させた場合に、ＩＣタグ封印シール２１５の機能が不能化されるようになっている。これにより、主制御基板２１１に対する不正行為を行おうとした場合に、その前段階のコネクタ２１１ｃに接続されたケーブル２１１ｃの取り外しにおいてＩＣタグ封印シール２１５の機能が不能化するため、ＩＣタグ封印シール２１５の機能を生かしたまま主制御基板２１１に対する不正行為が行われるのを確実に防止することができる。
【０１８４】
また、本実施例では、蓋体２１３の取り付けレール２１３ｍ、およびカバー部材２９０の構成により、カバー部材２９０を蓋体２１３に取り付けた後はカバー部材２９０を左右方向にしか移動（スライド）できないようになっている。さらに、コネクタ２１１ｃにケーブル２１１ｄが接続されている場合には、カバー部材２９０の押圧部２９１とケーブル２１１ｄの干渉により、カバー部材２９０を左方向にしか移動できないようになっている。そして、コネクタ２１１ｃに接続されたケーブル２１１ｄを外すためには、左方向にカバー部材２９０を移動させることが必要となっている。すなわち、本実施例では、カバー部材２９０を解除（コネクタ２１１ｃの遮蔽を解除）する解除方向が一方向に規制されている。本実施例では、このようにカバー部材２９０の解除方向を規制することによって、ＩＣタグ封印シール２１５の機能を不能化させるための動作を確実に行わせるようにしている。
【０１８５】
以上説明したように、上記各実施例に係るスロットマシンは、遊技に関する制御を行う制御基板（上記各実施例では、主制御基板）２１１を収納する基板ケース（上記各実施例では、主基板収納ケース）２１０と、基板ケース２１０の開封または取り外しを阻止するために設けられ、基板ケース２１０の少なくとも一部を覆うカバー部材２５０、２６０、２７０、２８０、２９０と、を備える遊技台であって、基板ケース２１０は、識別情報が記憶されると共に記憶された識別情報を所定の機器（上記各実施例では、ＩＣタグリーダ／ライタ）により非接触の状態で読み取ることができる読取機能が付加されたシール部材（上記各実施例では、ＩＣタグ封印シール）２１５を貼付するための貼付部（上記各実施例では、主基板収納ケース２１０表面の上部）を有し、カバー部材２５０、２６０、２７０、２８０、２９０は、基板ケース２１０の開封または取り外しを阻止する第１の位置から基板ケース２１０の開封または取り外しを阻止しない第２の位置へ移動可能に構成されると共に、貼付部に貼付されたシール部材２１５の読取機能を不能化させて識別情報の読み取りを不可とする読取不可手段（上記各実施例では、破断部または破断部材）２５４、２６０ｄ、２７３、５００を備え、読取不可手段２５４、２６０ｄ、２７３、５００は、カバー部材２５０、２６０、２７０、２８０、２９０が第１の位置から第２の位置に移動される移動動作に伴ってシール部材２１５の読取機能を不能化させる。
【０１８６】
このため、主基板収納ケース２１０の開封または取り外し行為においてＩＣタグ封印シール２１５の機能を不能化させ、ＩＣタグ封印シール２１５を生かした状態での不正行為を防止することができる。また、不正行為となる初期行為（例えば、主基板収納ケース２１０の取り外し）を把握することができる。
【０１８７】
特に、本発明に係るスロットマシンは、積極的にＩＣタグ封印シール２１５を破断するための部材を予め備えているため、従来のように破断するための工具類を別に用意することなく、開封行為や取り外し行為の際、自動的にＩＣタグ封印シール２１５の機能を不能化させることができる。
【０１８８】
また、シール部材２１５に記憶される識別情報は、予め定められた遊技台固有の識別情報である。この遊技台固有の識別情報は、遊技店等が定期的にチェックするものであるため、何らかの不正行為または不正行為の初期行為が行われたことを容易に把握することができる。
【０１８９】
また、実施例１〜３のカバー部材２５０、２６０、２７０は、第１の位置においてシール部材２１５側に向けて突出する突出部（実施例１および２では破断部２５４、２６０ｄ、実施例３では刃部２７３ｂ）を有し、読取不可手段２５４、２６０ｄ、２７３は、カバー部材２５０、２６０、２７０が第１の位置から第２の位置に移動される移動動作に伴い、突出部をシール部材２１５に干渉させて読取機能を不能化させる。
【０１９０】
このため、低いコストで確実にＩＣタグ封印シール２１５の機能を不能化させることができる。
【０１９１】
また、実施例１のカバー部材２５０は、第１の位置で封印がなされ、封印を解除することで第２の位置に移動可能になると共に、封印を解除した痕跡が残る構成とされている。
【０１９２】
このため、複数の痕跡（カバー部材２５０を取り外した痕跡、およびＩＣタグ封印シール２１５が破壊された痕跡）を残すことが可能となり、何らかの不正行為または不正行為の初期行為が行われたことをより明確に把握することができる。また、カバー部材２５０による遮蔽性を向上させ、主基板収納ケース２１０へのアクセスをより困難にすることができる。
【０１９３】
また、実施例３〜５のスロットマシンは、第１の位置においてシール部材２１５側に向けて突出する突出部（上記各実施例では、刃部）２７３ｂ、５３２と、突出部２７３ｂ、５３２をシール部材２１５に干渉しない非干渉位置から干渉する干渉位置に移動動作させる突出部移動機構（実施例３、４では回転機構、実施例５ではスライド機構）と、をさらに備え、読取不可手段２７３、５００は、カバー部材２７０、２８０、２９０が第１の位置から第２の位置に移動される移動動作に連動させて突出部移動機構を動作させることにより、非干渉位置から干渉位置に突出部２７３ｂ、５３２を移動動作させ、突出部２７３ｂ、５３２をシール部材２１５に干渉させて読取機能を不能化させる。
【０１９４】
このように、連動動作による間接的な破壊構造とすることにより、ＩＣタグ封印シール２１５の機能が不能化されることを不正行為者に察知され難くすることができる。従って、不正行為または不正行為の初期行為が行われた際に、確実にＩＣタグ封印シール２１５の機能を不能化させることができる。
【０１９５】
また、実施例４および５の基板ケース２１０は、制御基板２１１を収納する基板収納体２１２と、基板収納体２１２に蓋をして制御基板２１１を封印する蓋体２１３と、基板収納体２１２および蓋体２１３を封印すると共に封印を解除することで痕跡が残る構成とされたカシメ部（上記各実施例では、ケース用かしめ部２１２ｃ、２１３ｃおよびケース用かしめピン２１４ａ）と、を有し、突出部起動機構は、基板ケース２１０に収納され、カシメ部により封印されている。
【０１９６】
このため、突出部移動機構を機能させないようにする行為を、既存のケース用かしめ部２１２ｃ、２１３ｃおよびケース用かしめピン２１４ａを活用して未然に防止することができる。
【０１９７】
また、実施例１、３〜５のカバー部材２５０、２７０、２８０、２９０は、第１の位置においてシール部材２１５の少なくとも一部を覆う。このため、ＩＣタグ封印シール２１５への不正接触を防止し、カバー部材２５０、２７０、２８０、２９０を移動させる前にＩＣタグ封印シール２１５を取り外す行為を未然に防止することができる。
【０１９８】
また、実施例２において、基板ケース２１０は、制御基板２１１を収納する基板収納体２１２と、基板収納体２１２に蓋をして制御基板２１１を封印する蓋体２１３と、基板収納体２１２および蓋体２１３を封印すると共に封印を解除することで痕跡が残る構成とされたカシメ部（実施例２では、ケース用かしめ部２１２ｃ、２１３ｃおよびケース用かしめピン２１４ａ）と、を有し、カバー部材２６０は、第１の位置において少なくともカシメ部を覆う。
【０１９９】
このため、ケース用かしめ部２１２ｃ、２１３ｃおよびケース用かしめピン２１４ａへの不正接触を防止すると共に、不正行為または不正行為の初期行為が行われた際に、確実にＩＣタグ封印シール２１５の機能を不能化させることができる。
【０２００】
また、実施例１、３〜５において、基板ケース２１０は、制御基板２１１に実装されたコネクタ部２１１ｃを基板ケース２１０外に突出させるためのコネクタ部逃げ孔（上記各実施例では、コネクタ孔）２１３ｆを有し、カバー部材２５０、２７０、２８０、２９０は、第１の位置において少なくともコネクタ部逃げ孔２１３ｆを覆う。
【０２０１】
このため、コネクタ２１１ｃへの不正接触を防止することができる。コネクタ２１１ｃに接続されたケーブル２１１ｄの取り外しは、主基板収納ケース２１０を開封するまたは取り外す場合に必須の行為となるため、不正行為または不正行為の初期行為が行われた際に、確実にＩＣタグ封印シール２１５の機能を不能化させることができる。
【０２０２】
また、シール部材２１５は、所定の機器から発信される電波を少なくとも受信するためのアンテナ部材２１５ｃを含み、読取不可手段２５４、２６０ｄ、２７３、５００は、カバー部材２５０、２６０、２７０、２８０、２９０が第１の位置から第２の位置となる間に、突出部（上記各実施例では、破断部２５４、２６０ｄまたは刃部２７３ｂ、５３２）がシール部材２１５に干渉してアンテナ部材２１５ｃを破断することにより読取機能を不能化させる。
【０２０３】
このように、アンテナ部材２１５ｃを破断することによって、容易且つ確実にＩＣタグ封印シール２１５の機能を不能化させることができる。
【０２０４】
また、カバー部材２５０、２６０、２７０、２８０、２９０は、取り付け構造によって遮蔽を解除する解除方向が一方向に規制されている。このため、主制御基板２１１に対する不正行為の前段階であるカバー部材２５０、２６０、２７０、２８０、２９０の遮蔽の解除においてＩＣタグ封印シール２１５の機能を不能化させるための動作を確実に行わせることができる。
【０２０５】
なお、本実施例では、本発明を主制御基板２１１に対して適用した例を示したが、本発明はこれに限定されるものではなく、副制御部４００を構成する副制御基板等の他の制御基板に対して本発明を適用するようにしてもよい。
【０２０６】
また、本実施例では、メダル（コイン）を遊技媒体としたスロットマシンの例を示したが、本発明はこれに限定されるものではなく、例えば、遊技球（例えば、パチンコ玉）を遊技媒体としたスロットマシンやパチンコ機などにも適用可能である。
【０２０７】
具体的には、本発明に係る遊技台は、図３０に示す、「所定の遊技領域１００２に遊技球を発射する発射装置１０１０と、発射装置１０１０から発射された遊技球を入球可能に構成された入賞口１００６と、入賞口１００６に入球した遊技球を検知する検知手段１００８と、検知手段１００８が遊技球を検知した場合に遊技球（賞球）を払出す払出手段１０１２と、所定の図柄(識別情報)を変動表示する可変表示装置１００４を備え、入賞口１００６に遊技球が入って入賞することを契機として、可変表示装置１００４が図柄を変動させた後に停止表示させて、遊技状態の推移を告知するようなパチンコ機１０００」にも好適である。
【０２０８】
さらに、本発明をアレンジボール遊技機、じゃん球遊技機、スマートボール、およびカジノマシン等に適用しても、同様の効果を得ることができる。
【０２０９】
なお、本発明に係る遊技台は、上記した実施例に限定されるものではなく、本発明の要旨を逸脱しない範囲内において種々変更を加え得ることは勿論である。また、本発明の実施の形態に記載された作用および効果は、本発明から生じる最も好適な作用および効果を列挙したに過ぎず、本発明による作用および効果は、本発明の実施の形態に記載されたものに限定されるものではない。また、実施例に記載した複数の構成のうち、１つの構成に記載している内容を、他の構成に適用することでより遊技の幅を広げられる場合がある。
【産業上の利用可能性】
【０２１０】
本発明は、スロットマシンやパチンコ機等に代表される遊技台の分野で特に利用することができる。
【符号の説明】
【０２１１】
１００  スロットマシン
２１０  主基板収納ケース
２１１  主制御基板
２１１ｃ  コネクタ
２１２  基板収納体
２１３  蓋体
２１３ｆ  コネクタ孔
２１２ｃ  基板収納体のケース用かしめ部
２１３ｃ  蓋体のケース用かしめ部
２１４ａ  ケース用かしめピン
２１５  ＩＣタグ封印シール
２１５ｃ  アンテナ
２３０  取付ベース
２５０、２６０、２７０、２８０、２９０  カバー部材
２５４、２６０ｄ  破断部
２７３、５００  破断部材
２７３ｂ、５３２  刃部
【図１】
2010178890.tif 000003
【図２】
2010178890.tif 000004
【図３】
2010178890.tif 000005
【図４】
2010178890.tif 000006
【図５】
2010178890.tif 000007
【図６】
2010178890.tif 000008
【図７】
2010178890.tif 000009
【図８】
2010178890.tif 000010
【図９】
2010178890.tif 000011
【図１０】
2010178890.tif 000012
【図１１】
2010178890.tif 000013
【図１２】
2010178890.tif 000014
【図１３】
2010178890.tif 000015
【図１４】
2010178890.tif 000016
【図１５】
2010178890.tif 000017
【図１６】
2010178890.tif 000018
【図１７】
2010178890.tif 000019
【図１８】
2010178890.tif 000020
【図１９】
2010178890.tif 000021
【図２０】
2010178890.tif 000022
【図２１】
2010178890.tif 000023
【図２２】
2010178890.tif 000024
【図２３】
2010178890.tif 000025
【図２４】
2010178890.tif 000026
【図２５】
2010178890.tif 000027
【図２６】
2010178890.tif 000028
【図２７】
2010178890.tif 000029
【図２８】
2010178890.tif 000030
【図２９】
2010178890.tif 000031
【図３０】
2010178890.tif 000032
【手続補正書】
【提出日】平成21年12月28日(2009.12.28)
【手続補正１】
【補正対象書類名】特許請求の範囲
【補正対象項目名】請求項１
【補正方法】変更
【補正の内容】
【請求項１】
遊技に関する制御を行う制御基板を収納する基板ケースと、
前記基板ケースの開封または取り外しを阻止するために設けられ、前記基板ケースの少なくとも一部を覆うカバー部材と、を備える遊技台であって、
前記基板ケースは、識別情報が記憶されると共に前記記憶された識別情報を所定の機器により非接触の状態で読み取ることができる読取機能が付加されたシール部材を貼付するための貼付部を有し、
前記カバー部材は、前記基板ケースの少なくとも一部を覆うことで前記基板ケースの開封または取り外しを阻止する第１の位置から、前記第１の位置における前記基板ケースの覆いを解除した状態または解除可能な状態となることで前記基板ケースの開封または取り外しを阻止しない第２の位置へ移動可能に構成されると共に、前記貼付部に貼付された前記シール部材の前記読取機能を不能化させて前記識別情報の読み取りを不可とする読取不可手段を備え、
前記読取不可手段は、前記カバー部材が前記第１の位置から前記第２の位置に移動される移動動作に伴って前記シール部材の少なくとも一部を破断し、前記読取機能を不能化させることを特徴とする、
遊技台。
【手続補正２】
【補正対象書類名】特許請求の範囲
【補正対象項目名】請求項３
【補正方法】変更
【補正の内容】
【請求項３】
前記カバー部材は、前記第１の位置において前記シール部材側に向けて突出する突出部を有し、
前記読取不可手段は、前記カバー部材が前記第１の位置から前記第２の位置に移動される移動動作に伴い、前記突出部を前記シール部材に干渉させて前記シール部材の少なくとも一部を破断し、前記読取機能を不能化させることを特徴とする、
請求項１または２に記載の遊技台。
【手続補正３】
【補正対象書類名】特許請求の範囲
【補正対象項目名】請求項５
【補正方法】変更
【補正の内容】
【請求項５】
前記第１の位置において前記シール部材側に向けて突出する突出部と、
前記突出部を前記シール部材に干渉しない非干渉位置から干渉する干渉位置に移動動作させる突出部移動機構と、をさらに備え、
前記読取不可手段は、前記カバー部材が前記第１の位置から前記第２の位置に移動される移動動作に連動させて前記突出部移動機構を動作させることにより、前記非干渉位置から前記干渉位置に前記突出部を移動動作させ、前記突出部を前記シール部材に干渉させて前記シール部材の少なくとも一部を破断し、前記読取機能を不能化させることを特徴とする、
請求項１または２に記載の遊技台。
【手続補正４】
【補正対象書類名】特許請求の範囲
【補正対象項目名】請求項６
【補正方法】変更
【補正の内容】
【請求項６】
前記基板ケースは、前記制御基板を収納する基板収納体と、前記基板収納体に蓋をして前記制御基板を封印する蓋体と、前記基板収納体および前記蓋体を封印すると共に封印を解除することで痕跡が残る構成とされたカシメ部と、を有し、
前記突出部移動機構は、前記基板ケースに収納され、前記カシメ部により封印されていることを特徴とする、
請求項５に記載の遊技台。